(57)【要約】解決手段  生活者端末と、接客者の情報処理装置Ｃと、事業者の情報処理装置Ｂと、識別子管理センターに設けられた情報処理装置Ａと、前記生活者の識別子ＩＤと、識別子ＩＤの入力手段と、複数の情報処理装置Ｃと接続する情報処理装置Ｂと、複数の情報処理装置Ｂと接続する情報処理装置Ａとを備えたネットワークシステムにおいて、識別子ＩＤを接客者の入力手段に読み取らせると、この識別子ＩＤにコンテンツファイルＵＲＬを関連付けして前記情報処理装置Ａの記憶手段に逐一記憶し、後日生活者端末と前記情報処理装置Ａとが接続して、識別子ＩＤが生活者端末から前記情報処理装置Ａに送信されると、この識別子ＩＤにかかるコンテンツファイルＵＲＬがリストボックスに割り振られて生活者端末に表示される。このリストボックスの項目が選択されると、リンクするコンテンツファイルの情報を前記生活者端末に表示させる識別子ＩＤ毎に異なる情報の供給方法。【特許請求の範囲】
【請求項１】
生活者が管理する生活者端末と、
接客者が管理する情報処理装置Ｃと、
事業者が管理する前記接客者に係る情報を記録したコンテンツファイルを記憶する情報処理装置Ｂと、
識別子管理センターに設けられた前記コンテンツファイルの情報網における住所であるコンテンツファイルＵＲＬを記憶する情報処理装置Ａと、
前記生活者が所有する識別子と、
前記識別子を特定する識別子ＩＤと、
前記情報処理装置Ｃに接続された前記識別子ＩＤが入力される入力手段と、
複数の前記情報処理装置Ｃと情報網を介して接続可能なグループを形成する前記情報処理装置Ｂと、
複数の前記情報処理装置Ｂに情報網を介して接続可能な前記情報処理装置Ａとを備えたネットワークシステムにおいて、
前記生活者が自ら所有する前記識別子の識別子ＩＤを任意の前記接客者の情報処理装置Ｃの入力手段に読み取らせると、この識別子ＩＤに当該接客者の紹介情報のコンテンツファイルＵＲＬを関連付けして前記情報処理装置Ａの記憶手段に逐一記憶するステップと、前記生活者端末と前記情報処理装置Ａとが接続された状態において、前記生活者が所有する識別子ＩＤが前記生活者端末から前記情報処理装置Ａに送信されると、当該識別子ＩＤに関連付けされた前記コンテンツファイルＵＲＬが割り振られたボタンを有するリストボックッスを前記生活者端末に表示して当該生活者に対して入力を促すステップと、
前記生活者によって前記生活者端末に表示された前記リストボックスのボタンがポインタでクリックされると、当該ボタンに割り振られたコンテンツファイルＵＲＬによってリンクする前記情報処理装置Ｂに記憶されたコンテンツファイルの情報を前記生活者端末に表示させるステップを備えたことを特徴とする識別子ＩＤ毎に異なる情報の供給方法。
【請求項２】
前記情報処理装置Ａが、
前記コンテンツファイルＵＲＬに係るカテゴリー名と、
前記リストボックスのボタンに前記カテゴリー名を表示する表示手段を備えていることを特徴とする請求項１に記載の識別子ＩＤ毎に異なる情報の供給方法。
【請求項３】
前記コンテンツファイルＵＲＬによってリンクするコンテンツファイルに事業者のホームページが含まれていることを特徴とする請求項１に記載の識別子ＩＤ毎に異なる情報の供給方法。
【請求項４】
前記コンテンツファイルＵＲＬによってリンクするコンテンツファイルに前記接客者のＥメールアドレスが含まれていることを特徴とする請求項１に記載の識別子ＩＤ毎に異なる情報の供給方法。
【請求項５】
前記情報処理装置Ｂと、この前記情報処理装置Ｂと接続可能な複数の情報処理装置Ｃからなるグループを複数備え、
前記識別子に設けられた物理的な特徴を備えたアナログチップと、
前記アナログチップの物理的特徴の情報であるアナログチップデータと、
前記情報処理装置Ｃの入力手段でアナログチップを観測して得られたチップ観測データとを有し、
前記情報処理装置Ａは、
前記識別子を特定する識別子ＩＤに関連付けて前記アナログチップデータを記憶する記憶手段と、
前記アナログチップデータと前記チップ観測データとによって当該アナログチップの真贋を判定する真贋判定手段を備え、
前記ネットワークシステムにおいて、前記グループ毎に異なる前記真贋判定手段を設定可能なことを特徴とする請求項１に記載の識別子ＩＤ毎に異なる情報の供給方法。
【請求項６】
前記情報処理装置Ａは、前記生活者端末から送信されてくる前記所有者が所有する識別子ＩＤの権利を暗証番号や生体認証などを利用して当該生活者自身を認証する本人認証手段を有し、
前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された前記識別子ＩＤに関連付けられた情報を変更可能なことを特徴とする請求項１に記載の識別子ＩＤ毎に異なる情報の供給方法。
【請求項７】
前記請求項１に記載の識別子ＩＤ毎に異なる情報の供給方法を備えたネットワークシステムにおいて、
前記情報処理装置Ｃに接続された入力手段によって読み取り可能な識別子ＩＤの情報をカードの基材に設けたことを特徴とするカード型識別子。
【請求項８】
請求項１に記載の識別子ＩＤ毎に異なる情報の供給方法を備えたネットワークシステムにおいて、
前記ネットワークシステムを構成する前記情報処理装置Ｃに接続可能な前記識別子ＩＤの情報を読み取る入力手段を備えたことを特徴とする入力装置。
【請求項９】
生活者が管理する生活者端末と、
接客者が管理する情報処理装置Ｃと、
事業者が管理する前記接客者の紹介情報であるコンテンツファイルを記憶する情報処理装置Ｂと、
識別子管理センターに設けられた前記コンテンツファイルの情報網における住所であるコンテンツファイルＵＲＬを記憶する情報処理装置Ａと、
前記生活者が所有する識別子と、
前記識別子を特定する識別子ＩＤと、
前記識別子ＩＤが入力される入力手段を備えた前記情報処理装置Ｃと、
複数の前記情報処理装置Ｃと情報網を介して接続してグループを形成する前記情報処理装置Ｂと、
複数の前記情報処理装置Ｂに情報網を介して接続可能な前記情報処理装置Ａとを備えたネットワークシステムにおいて、
前記情報処理装置Ａは、前記識別子ＩＤに関連付けて当該識別子ＩＤの所有者である前記生活者の個人情報を記憶する記憶手段を有し、
情報処理装置Ｃの入力手段が識別子ＩＤを読み取るステップと、
前記情報処理装置Ｃが同一グループの情報処理装置Ｂに識別子ＩＤを送信するステップと、
前記情報処理装置Ｂが前記情報処理装置Ａに前記識別子ＩＤを転送するステップと、
前記情報処理装置Ａが転送されてきた前記識別子ＩＤに関連付けされた個人情報を検索するステップと、
前記情報処理装置Ａが検索された前記個人情報を先に識別子を送信してきた前記情報処理装置Ｂに送信するステップと、
当該情報処理装置Ｂが前記情報処理装置Ａから送信されてきた前記個人情報を前記識別子ＩＤに関連付けて記憶するステップを備えていることを特徴とする個人情報の登録システム。
【請求項１０】
請求項９に記載の個人情報の登録システムを備えたネットワークシステムにおいて、
前記接客者が企画するイベントの内容が記録されたイベント情報と、
互いに関連付けされた前記識別子ＩＤと前記イベント情報とを当該情報処理装置Ｃから前記情報処理装置Ｂに送信するステップと、
当該情報処理装置Ｂが前記送信されてきた前記識別子ＩＤに係る個人情報を検索し、この検索された個人情報に基づいて前記イベント情報を発信することを特徴とするイベント情報発信手段。
【請求項１１】
前記情報処理装置Ａは、前記生活者端末から送信されてくる前記所有者が所有する識別子ＩＤの権利を暗証番号や生体認証などを利用して当該生活者自身を認証する本人認証手段を有し、
前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された個人情報を変更可能なことを特徴とする請求項９に記載の個人情報の登録システム。
【請求項１２】
請求項９に記載の個人情報の登録システムを備えたネットワークシステムにおいて、
前記情報処理装置Ｃに接続された入力手段によって読み取り可能な識別子ＩＤの情報をカードの基材に設けたことを特徴とするカード型識別子。
【請求項１３】
請求項９に記載の個人情報の登録システムを備えたネットワークシステムにおいて、
前記ネットワークシステムを構成する前記情報処理装置Ｃに接続可能な前記識別子ＩＤの情報を読み取る入力手段を備えたことを特徴とする入力装置。
【請求項１４】
生活者が管理する生活者端末と、
接客者が管理する情報処理装置Ｃと、
事業者が管理する前記接客者の紹介情報であるコンテンツファイルを記憶する情報処理装置Ｂと、
識別子管理センターに設けられた前記コンテンツファイルの情報網における住所であるコンテンツファイルＵＲＬを記憶する情報処理装置Ａと、
前記コンテンツファイルＵＲＬを検索する情報を備えたマーク記号と、
前記生活者が所有する識別子と、
前記識別子を特定する識別子ＩＤと、
前記識別子ＩＤが入力される入力手段を備えた前記情報処理装置Ｃと、
複数の前記情報処理装置Ｃと情報網を介して接続可能なグループを形成する前記情報処理装置Ｂと、
複数の前記情報処理装置Ｂに情報網を介して接続可能な前記情報処理装置Ａとを備えたネットワークシステムにおいて、
前記生活者が自ら所有する識別子の識別子ＩＤを任意の接客者の情報処理装置Ｃに読み取らせた際に、この接客者の紹介情報のコンテンツファイルＵＲＬを検索する情報を備えたマーク記号を当該識別子ＩＤに付与するステップと、
前記情報処理装置Ａにおいて、前記識別子ＩＤに関連付けて前記マーク記号を逐一記憶するステップと、
前記情報処理装置Ａにおいて、前記マーク記号と前記コンテンツファイルＵＲＬとを関連付けて記憶するステップと、
前記情報処理装置Ａに蓄積された前記識別子ＩＤに関連付けされたマーク記号を介して前記コンテンツファイルＵＲＬを収集するステップと、
当該生活者に対して、前記生活者端末と前記情報処理装置Ａとが接続された状態において、前記収集されたコンテンツファイルＵＲＬを前記生活者端末の表示部に表示して選択を促すステップを備えたことを特徴とする識別子ＩＤ毎に異なる情報の供給方法。
【請求項１５】
前記情報処理装置Ａにおいて収集されたコンテンツファイルＵＲＬがそれぞれ記述されたボタンを備えたリストボックスと、
前記リストボックスを前記生活者端末の表示部に表示させて前記生活者に操作を促すステップと、
前記生活者によって前記リストボックスの前記ボタンがポインタでクリックされた際に、このボタンに記述されたコンテンツファイルＵＲＬによってリンクされたファイルの情報を前記生活者端末の表示部に表示させるステップを備えたことを特徴とする請求項１４に記載の識別子ＩＤ毎に異なる情報の供給方法。
【請求項１６】
前記情報処理装置Ａにおいて、前記マーク記号に関連付けて前記事業者の事業者名と、業種を表すカテゴリー名とを記憶する記憶手段を備え、
前記リストボックスのボタンに前記事業者名を表示する表示手段と、
前記リストボックスのボタンに前記カテゴリー名を表示する表示手段を備えていることを特徴とする請求項１５に記載の識別子ＩＤ毎に異なる情報の供給方法。
【請求項１７】
前記コンテンツファイルＵＲＬによってリンクするコンテンツファイルに事業者のホームページが含まれていることを特徴とする請求項１４に記載の識別子ＩＤ毎に異なる情報の供給方法。
【請求項１８】
前記コンテンツファイルＵＲＬによってリンクするコンテンツファイルに前記接客者のＥメールアドレスが含まれていることを特徴とする請求項１４に記載の識別子ＩＤ毎に異なる情報の供給方法。
【請求項１９】
前記情報処理装置Ｂと、この前記情報処理装置Ｂと接続可能な複数の情報処理装置Ｃからなるグループを複数備え、
前記識別子に設けられた物理的な特徴を備えたアナログチップと、
前記アナログチップの物理的特徴の情報であるアナログチップデータと、
前記情報処理装置Ｃの入力手段でアナログチップを観測して得られたチップ観測データと、
前記情報処理装置Ａは、
前記識別子を特定する識別子ＩＤに関連付けて前記アナログチップデータを記憶する記憶手段と、
前記アナログチップデータとチップ観測データとによって当該アナログチップの真贋を判定する真贋判定手段を備え、
前記ネットワークシステムにおいて、前記グループ毎に異なる前記真贋判定手段を設定可能なことを特徴とする請求項１４に記載の識別子ＩＤ毎に異なる情報の供給方法。
【請求項２０】
前記情報処理装置Ａは、前記生活者端末から送信されてくる前記所有者が所有する識別子ＩＤの権利を暗証番号や生体認証などを利用して当該生活者自身を認証する本人認証手段を有し、
前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された前記識別子ＩＤに関連付けられた情報を変更可能なことを特徴とする請求項１４に記載の識別子ＩＤ毎に異なる情報の供給方法。
【請求項２１】
請求項１４に記載の識別子ＩＤ毎に異なる情報の供給方法を備えたネットワークシステムにおいて、
前記情報処理装置Ｃに接続された入力手段によって読み取り可能な識別子ＩＤの情報をカードの基材に設けたことを特徴とするカード型識別子。
【請求項２２】
請求項１４に記載の識別子ＩＤ毎に異なる情報の供給方法を備えたネットワークシステムにおいて、
前記ネットワークシステムを構成する前記情報処理装置Ｃに接続可能な前記識別子ＩＤの情報を読み取る入力手段を備えたことを特徴とする入力装置。
【発明の詳細な説明】
【技術分野】
【０００１】  本発明は、コンピュータシステムを用いたネットワークシステムにおける情報の供給方法と、個人情報の登録システムに関わる。
【背景技術】
【０００２】  従来インターネットとは、インターネット内の全ての資源をみんなで共有しようとするインフラストラクチャーとされてきた。
しかしながら、有る特定の個人が自分の好みでインターネット上のサイトを収集しようとする場合には、Ｗｅｂブラウザの「お気に入り」の機能を利用したり、一般にサーチエンジンと称されるヤフー（登録商標）等においては、個人向けの専用ページを登録可能としたりしているが、この時個人専用ページの内容はインターネットで検索したサイトを登録することによって個人専用のページを作成できるとしている。【０００３】  しかしながら、このインターネット内で検索したページを登録する場合、そのページの実際の運営者や実際の店舗を知っていることは希で、膨大なサイトの中から信用のおけるサイトを探し出そうとすると、サイトの内容を理解し決断する際に時間的なコストが発生するという問題が生じている。
又このことは、サイトの運営者側から見ると、例えば実際に店舗を運営していて地元では信用があっても、インターネット内では全く実態の不明な仮想店舗と同列にデータとして扱われるので膨大なデータの中に埋没し、結局、お客にサイトをなかなか閲覧してもらえないことでもある。そして、このような傾向は、インターネットに参加するサイトの数の増大化とともに更に深刻化する。【０００４】  他方、インターネットを利用する個人が自分の好みの情報源をリストにする方法は、ブラウザのお気に入りの機能や、個人向け専用サイトを利用するが、この時インターネットをＷｅｂブラウザで検索してヒットしたホームページを登録するか、知っている店舗等のＵＲＬを入力して好みのリストを作成する以外に無かったのである。【０００５】  なお、参考までに発明の目的も構成も異なるが、インターネット内に存在する情報を選択することによってＩＣカードの利用者それぞれに専用のパーソナルポータルサイトを提供する、「ＩＣカードを利用した生活者総合支援システムとそれに使用するＩＣカード」が特開２００１−３５７０１９号に提案されている。なお、本件発明の出願人が先に出願した特願２００３−２８０８１７号及び特願２００３−４０８７３６号を掲載する。
【特許文献１】特願２００３−２８０８１７号（ＰＣＴ／ＪＰ２００４／０１０６４１）
【特許文献２】特願２００３−４０８７３６号（ＰＣＴ／ＪＰ２００４／０１７７２７）
【特許文献３】特開２００１−３５７０１９号
【特許文献４】特許第２７５６４８３号
【発明の開示】
【発明が解決しようとする課題】
【０００６】  本件発明は、生活者が実空間に存在する接客者に識別子（識別子ＩＤ）を登録（マーク）するシステムと、生活者が実空間において多様な接客者や施設（事業者）若しくはイベント等にかかる情報を蓄積し、更にインターネットを介して蓄積された情報を容易に取得する方法と、識別子ＩＤ毎に異なる情報を供給する情報の供給方法等を課題とする。
【課題を解決するための手段】
【０００７】  本件第１の発明である識別子毎に異なる情報の供給方法は、
生活者が管理する生活者端末と、接客者が管理する情報処理装置Ｃと、事業者が管理する前記接客者に係る情報を記録したコンテンツファイルを記憶する情報処理装置Ｂと、識別子管理センターに設けられた前記コンテンツファイルの情報網における住所であるコンテンツファイルＵＲＬを記憶する情報処理装置Ａと、前記生活者が所有する識別子と、前記識別子を特定する識別子ＩＤと、前記情報処理装置Ｃに接続された前記識別子ＩＤが入力される入力手段と、複数の前記情報処理装置Ｃと情報網を介して接続可能なグループを形成する前記情報処理装置Ｂと、複数の前記情報処理装置Ｂに情報網を介して接続可能な前記情報処理装置Ａとを備えたネットワークシステムにおいて、
前記生活者が自ら所有する前記識別子の識別子ＩＤを任意の前記接客者の情報処理装置Ｃの入力手段に読み取らせると、この識別子ＩＤに当該接客者の紹介情報のコンテンツファイルＵＲＬを関連付けして前記情報処理装置Ａの記憶手段に逐一記憶するステップと、前記生活者端末と前記情報処理装置Ａとが接続された状態において、前記生活者が所有する識別子ＩＤが前記生活者端末から前記情報処理装置Ａに送信されると、当該識別子ＩＤに関連付けされた前記コンテンツファイルＵＲＬが割り振られたボタンを有するリストボックッスを前記生活者端末に表示して当該生活者に対して入力を促すステップと、
前記生活者によって前記生活者端末に表示された前記リストボックスのボタンがポインタでクリックされると、当該ボタンに割り振られたコンテンツファイルＵＲＬによってリンクする前記情報処理装置Ｂに記憶されたコンテンツファイルの情報を前記生活者端末に表示させるステップを備える。【０００８】  本件第２の発明は、第１の発明において、前記情報処理装置Ａが、前記コンテンツファイルＵＲＬに係るカテゴリー名と、前記リストボックスのボタンに前記カテゴリー名を表示する表示手段を備えている。
本件第３の発明は、第１の発明において、前記コンテンツファイルＵＲＬによってリンクするコンテンツファイルに事業者のホームページが含まれている。【０００９】  本件第４の発明は、第１の発明において、前記コンテンツファイルＵＲＬによってリンクするコンテンツファイルに前記接客者のＥメールアドレスが含まれている。【００１０】  本件第５の発明は、第１の発明において、
前記情報処理装置Ｂと、この前記情報処理装置Ｂと接続可能な複数の情報処理装置Ｃからなるグループを複数備え、前記識別子に設けられた物理的な特徴を備えたアナログチップと、前記アナログチップの物理的特徴の情報であるアナログチップデータと、前記情報処理装置Ｃの入力手段でアナログチップを観測して得られたチップ観測データとを有し、前記情報処理装置Ａは、前記識別子を特定する識別子ＩＤに関連付けて前記アナログチップデータを記憶する記憶手段と、前記アナログチップデータと前記チップ観測データとによって当該アナログチップの真贋を判定する真贋判定手段を備え、前記ネットワークシステムにおいて、前記グループ毎に異なる前記真贋判定手段を設定可能とした。【００１１】  本件第６の発明は、第１の発明において、前記情報処理装置Ａは、前記生活者端末から送信されてくる前記所有者が所有する識別子ＩＤの権利を暗証番号や生体認証などを利用して当該生活者自身を認証する本人認証手段を有し、前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された前記識別子ＩＤに関連付けられた情報を変更可能とした。【００１２】  本件第７の発明のカード型識別子は、第１の発明に記載の識別子ＩＤ毎に異なる情報の供給方法を備えたネットワークシステムにおいて、前記情報処理装置Ｃに接続された入力手段によって読み取り可能な識別子ＩＤの情報をカードの基材に設けたことを特徴とする。【００１３】  本件第８の発明の入力装置は、第１の発明に記載の識別子ＩＤ毎に異なる情報の供給方法を備えたネットワークシステムにおいて、前記ネットワークシステムを構成する前記情報処理装置Ｃに接続可能な前記識別子ＩＤの情報を読み取る入力手段を備えたことを特徴とした。【００１４】  本件第９の発明における個人情報の登録システムは、生活者が管理する生活者端末と、接客者が管理する情報処理装置Ｃと、事業者が管理する前記接客者の紹介情報であるコンテンツファイルを記憶する情報処理装置Ｂと、識別子管理センターに設けられた前記コンテンツファイルの情報網における住所であるコンテンツファイルＵＲＬを記憶する情報処理装置Ａと、前記生活者が所有する識別子と、前記識別子を特定する識別子ＩＤと、前記識別子ＩＤが入力される入力手段を備えた前記情報処理装置Ｃと、複数の前記情報処理装置Ｃと情報網を介して接続してグループを形成する前記情報処理装置Ｂと、複数の前記情報処理装置Ｂに情報網を介して接続可能な前記情報処理装置Ａとを備えたネットワークシステムにおいて、前記情報処理装置Ａは、前記識別子ＩＤに関連付けて当該識別子ＩＤの所有者である前記生活者の個人情報を記憶する記憶手段を有し、情報処理装置Ｃの入力手段が識別子ＩＤを読み取るステップと、前記情報処理装置Ｃが同一グループの情報処理装置Ｂに識別子ＩＤを送信するステップと、前記情報処理装置Ｂが前記情報処理装置Ａに前記識別子ＩＤを転送するステップと、前記情報処理装置Ａが転送されてきた前記識別子ＩＤに関連付けされた個人情報を検索するステップと、前記情報処理装置Ａが検索さ���た前記個人情報を先に識別子を送信してきた前記情報処理装置Ｂに送信するステップと、当該情報処理装置Ｂが前記情報処理装置Ａから送信されてきた前記個人情報を前記識別子ＩＤに関連付けて記憶するステップを備えているとした。【００１５】  本件第１０の発明におけるイベント情報発信手段は、本件第９の発明に記載の個人情報の登録システムを備えたネットワークシステムにおいて、前記接客者が企画するイベントの内容が記録されたイベント情報と、互いに関連付けされた前記識別子ＩＤと前記イベント情報とを当該情報処理装置Ｃから前記情報処理装置Ｂに送信するステップと、当該情報処理装置Ｂが前記送信されてきた前記識別子ＩＤに係る個人情報を検索し、この検索された個人情報に基づいて前記イベント情報を発信するとした。【００１６】  本件第１１の発明は、本件第９の発明に記載の個人情報の登録システムにおいて、
前記情報処理装置Ａは、前記生活者端末から送信されてくる前記所有者が所有する識別子ＩＤの権利を暗証番号や生体認証などを利用して当該生活者自身を認証する本人認証手段を有し、前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された個人情報を変更可能とした。【００１７】  本件第１２の発明のカード型識別子は、本件第９の発明に記載の個人情報の登録システムを備えたネットワークシステムにおいて、前記情報処理装置Ｃに接続された入力手段によって読み取り可能な識別子ＩＤの情報をカードの基材に設けたことを特徴とした。
本件第１３の発明の入力装置は、本件第９の発明に記載の個人情報の登録システムを備えたネットワークシステムにおいて、前記ネットワークシステムを構成する前記情報処理装置Ｃに接続可能な前記識別子ＩＤの情報を読み取る入力手段を備えたことを特徴とした。【００１８】  本件第１４の発明の識別子ＩＤ毎に異なる情報の供給方法は、生活者が管理する生活者端末と、接客者が管理する情報処理装置Ｃと、事業者が管理する前記接客者の紹介情報であるコンテンツファイルを記憶する情報処理装置Ｂと、識別子管理センターに設けられた前記コンテンツファイルの情報網における住所であるコンテンツファイルＵＲＬを記憶する情報処理装置Ａと、前記コンテンツファイルＵＲＬを検索する情報を備えたマーク記号と、前記生活者が所有する識別子と、前記識別子を特定する識別子ＩＤと、前記識別子ＩＤが入力される入力手段を備えた前記情報処理装置Ｃと、複数の前記情報処理装置Ｃと情報網を介して接続可能なグループを形成する前記情報処理装置Ｂと、複数の前記情報処理装置Ｂに情報網を介して接続可能な前記情報処理装置Ａとを備えたネットワークシステムにおいて、前記生活者が自ら所有する識別子の識別子ＩＤを任意の接客者の情報処理装置Ｃに読み取らせた際に、この接客者の紹介情報のコンテンツファイルＵＲＬを検索する情報を備えたマーク記号を当該識別子ＩＤに付与するステップと、前記情報処理装置Ａにおいて、前記識別子ＩＤに関連付けて前記マーク記号を逐一記憶するステップと、前記情報処理装置Ａにおいて、前記マーク記号と前記コンテンツファイルＵＲＬとを関連付けて記憶するステップと、前記情報処理装置Ａに蓄積された前記識別子ＩＤに関連付けされたマーク記号を介して前記コンテンツファイルＵＲＬを収集するステップと、当該生活者に対して、前記生活者端末と前記情報処理装置Ａとが接続された状態において、前記収集されたコンテンツファイルＵＲＬを前記生活者端末の表示部に表示して選択を促すステップを備えた。【００１９】  本件第１５の発明は、第１４の発明に記載の識別子ＩＤ毎に異なる情報の供給方法において、前記情報処理装置Ａにおいて収集されたコンテンツファイルＵＲＬがそれぞれ記述されたボタンを備えたリストボックスと、前記リストボックスを前記生活者端末の表示部に表示させて前記生活者に操作を促すステップと、前記生活者によって前記リストボックスの前記ボタンがポインタでクリックされた際に、このボタンに記述されたコンテンツファイルＵＲＬによってリンクされたファイルの情報を前記生活者端末の表示部に表示させるステップを備えるとした。【００２０】  本件第１６の発明は、第１５の発明に記載の識別子ＩＤ毎に異なる情報の供給方法において、前記情報処理装置Ａにおいて、前記マーク記号に関連付けて前記事業者の事業者名と、業種を表すカテゴリー名とを記憶する記憶手段を備え、前記リストボックスのボタンに前記事業者名を表示する表示手段と、前記リストボックスのボタンに前記カテゴリー名を表示する表示手段を備えるとした。【００２１】  本件第１７の発明は、第１４の発明に記載の識別子ＩＤ毎に異なる情報の供給方法において、前記コンテンツファイルＵＲＬによってリンクするコン���ンツファイルに事業者のホームページが含まれているとした。本件第１８の発明は、第１４の発明に記載の識別子ＩＤ毎に異なる情報の供給方法において、前記コンテンツファイルＵＲＬによってリンクするコンテンツファイルに前記接客者のＥメールアドレスが含まれるとした。【００２２】  本件第１９の発明は、第１４の発明に記載の識別子ＩＤ毎に異なる情報の供給方法において、前記情報処理装置Ｂと、この前記情報処理装置Ｂと接続可能な複数の情報処理装置Ｃからなるグループを複数備え、前記識別子に設けられた物理的な特徴を備えたアナログチップと、前記アナログチップの物理的特徴の情報であるアナログチップデータと、前記情報処理装置Ｃの入力手段でアナログチップを観測して得られたチップ観測データと、前記情報処理装置Ａは、前記識別子を特定する識別子ＩＤに関連付けて前記アナログチップデータを記憶する記憶手段と、前記アナログチップデータとチップ観測データとによって当該アナログチップの真贋を判定する真贋判定手段を備え、前記ネットワークシステムにおいて、前記グループ毎に異なる前記真贋判定手段を設定可能とした。【００２３】  本件第２０の発明は、第１４の発明に記載の識別子ＩＤ毎に異なる情報の供給方法において、前記情報処理装置Ａは、前記生活者端末から送信されてくる前記所有者が所有する識別子ＩＤの権利を暗証番号や生体認証などを利用して当該生活者自身を認証する本人認証手段を有し、前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された前記識別子ＩＤに関連付けられた情報を変更可能とした。【００２４】  本件第２１の発明のカード型識別子は、第１４の発明に記載の識別子ＩＤ毎に異なる情報の供給方法を備えたネットワークシステムにおいて、前記情報処理装置Ｃに接続された入力手段によって読み取り可能な識別子ＩＤの情報をカードの基材に設けたことを特徴とした。【００２５】  本件第２２の発明の入力装置は、第１４の発明に記載の識別子ＩＤ毎に異なる情報の供給方法を備えたネットワークシステムにおいて、前記ネットワークシステムを構成する前記情報処理装置Ｃに接続可能な前記識別子ＩＤの情報を読み取る入力手段を備えたことを特徴とした。
【発明の効果】
【００２６】  本件発明における、ネットワークシステムは階層構造を有しており上層から、識別子管理センターが管理する情報処理装置Ａ、事業者が管理する情報処理装置Ｂ、接客者が管理する情報処理装置Ｃを備えている。このような階層構造を有しているので、情報処理装置Ａは、識別子ＩＤに関連付けたコンテンツファイルＵＲＬを主に管理すれば良く、情報量が多い接客者の紹介情報を記憶したコンテンツファイルを情報処理装置Ｂに分散して記憶させることが可能で、さらには接客者の情報処理装置Ｃには識別子ＩＤの入力手段と、この識別子ＩＤに関連付けてマーク記号等を送信する機能を備えていれば良いので、記憶する情報量を少なくすることが可能でメンテナンス性に優れるという効果が期待できる。【００２７】  他方、識別子所有者に商品の販売やイベント等のサービスを提供する接客者と、接客者を紹介するコンテンツファイルを管理する事業者と、識別子ＩＤを管理する識別子管理センターとを備え、これらがそれぞれ異なる役割を持ったネットワークシステムが構築出来るという優れた効果がある。
まず生活者は、買い物や旅行といった生活の中で識別子の識別子ＩＤを接客者の入力手段に読み取らせることで、実空間に存在する接客者にかかる情報を収集する識別子ＩＤの登録（マーク）を行うと、コンテンツファイルＵＲＬ若しくは後述のマーク記号が、自然と蓄積され、この蓄積されたマーク記号等の記録によってコンテンツファイルに情報網を介してアクセスすることが可能となる。
次に、接客者は、自らにかかる情報を記録したコンテンツファイルを事業者が管理してくれるので、例えば接客者が陶芸家や、農家などの実業を営む場合にはコンテンツファイルを管理するという労力をかけることなく、容易にネットワークシステムに参加して生活者に情報を発信することができるという効果がある。
また、事業者は、接客者のコンテンツファイルを管理するので、管理の対価を接客者から徴収することを可能とする。【００２８】  一方、識別子管理センターは、生活者が識別子ＩＤを読み取らせた接客者の情報をみたいときには、識別子管理センターの情報処理装置Ａにアクセスする必要が生じるので、識別子管理センターはポータルサイトを運営することが可能となる。
このポータルサイトは、識別子ＩＤによって収集されたコンテンツファイルＵＲＬによって表示される内容が異なる、つまり本件発明の生活者端末に表示されるコンテンツファイルの情報は、識別子ＩＤを接客者に読み取らせた行動の履歴（自分史）となる。このことは、生活者が本件発明のネットワークシステムへ参加する参加率の向上をもたらすという効果が期待できる。【００２９】  更にいえば、Ｗｅｂブラウザのお気に入り機能を利用してインターネットの情報を検索してＷｅｂサイトを蓄積するのと比較すると、本件発明の生活者端末に表示される情報は、識別子所有者が実空間の中で経験された接客者や催事及びコンサート等の情報である。言い換えれば識別子所有者の実空間の行動の履歴とも言うべき情報がメインメニューに表示できるという、今までに全くなかった情報の提供方法であって、個人の行動の履歴の管理という点において優れた効果がある。【００３０】  更に、本件発明の識別子に物理的な特徴を備えたアナログチップを設け、グループ毎に異なる真贋判定手段を設定すると、ネットワークに情報を送信した際に盗聴などの不法行為が為されても、各グループで真贋判定手段が異なるので、真贋判定手段が異なるグループ間では、あるグループで情報の盗聴などの犯罪が行われても、他のグループにおいては盗聴された情報が悪用されることがないので「なりすまし」等の犯罪を防止することが可能となる。【００３１】  本件発明のカード型識別子においては、本件発明のネットワークシステムに使用される識別子を、クレジットカード等のカード形状の規格に制作することが可能で、持ち運びに便利な識別子を提供することが可能となる。
また、情報処理装置Ｃの入力手段に、情報処理装置Ｃに接続可能な識別子ＩＤの情報を読み取る入力手段を備えた入力装置を採用することができるので、入力装置を他の装置と組み合わせてユニット化したり、または多様な入力装置をネットワークシステムに提供することが可能となる。
更に、接客者に係る情報を記録したコンテンツファイルに接客者のＥメールアドレスを含ませると、このコンテンツファイルを閲覧した生活者が接客者に直接Ｅメールを送信することを可能とする。【００３２】  また、本件第９の発明においては、接客者の入力手段が識別子ＩＤを読み取ると、情報処理装置Ｂに識別子ＩＤを記憶させるとともに、情報処理装置Ａに識別子ＩＤを送信し、情報処理装置Ａでは送信されてきた識別子ＩＤに関連付けされた個人情報を検索して情報処理装置Ｂに送信し、情報処理装置Ｂはこの個人情報を記憶する。このように構成されているので、入力手段に識別子ＩＤを読み取らせる際に生活者が個人情報を登録しなくとも、接客者とこの接客者を管理する事業者は識別子所有者の個人情報を得ることがでる。
このことは、本件第１０の発明において、情報処理装置Ｃにイベント情報を入力し、そのイベント情報と識別子ＩＤとを情報処理装置Ｂに送信すると、情報処理装置Ｂは識別子ＩＤの個人情報を検索して、この個人情報に基づいてイベント情報を発信することを可能とする。このように構成されているので、接客者が生活者の個人情報のデータを管理しなくても、必要に応じてイベント情報と識別子ＩＤを事業者に送信すると、事業者が生活者に情報を発信することが出来る。言い換えれば、接客者の生活者に対する情報発信の業務を事業者によって代行することが出来るとともに、接客者は生活者の個人情報を管理することなく生活者に対して情報の発信を行うことができるという優れた効果がえられるのである。
【発明を実施するための最良の形態】
【００３３】  本発明は、実空間において、識別子所有者が識別子によってマークを行った際に、識別子ＩＤ毎に異なるパーソナルサイトにおいてその履歴を容易に確認できると共に、その履歴を残した事業者からの情報の提供が受けられる情報の供給方法である。
【実施例１】
【００３４】  用語の説明
情報処理装置Ａとは、識別子管理センターが管理する情報処理装置である。
情報処理装置Ｂとは、事業者が管理する情報処理装置である。
情報処理装置Ｃとは、接客者が管理する情報処理装置である。
識別子とは、個人の特定に利用可能な、ＩＣカード、携帯電話等の装置、特願２００３−２８０８１７号及び特願２００３−４０８７６３号に記載のアナログチップを備えたＩＤカード等の総称である。
識別子ＩＤとは、識別子を特定するための情報である。
マークとは、入力手段に識別子ＩＤが入力されることを言う。
マーク記号とは、マークされた入力手段を特定するための情報を含む記号を言う。
マーク記号の履歴情報とは、マークした際にその都度付与された複数のマーク記号の集積を言う。
ＵＲＬ（Ｕｎｉｆｏｒｍ  Ｒｅｓｏｕｒｃｅ  Ｌｏｃａｔｏｒ）とは、インターネット上におけるＷＥＢページやファイルの固有の住所である。
コンテンツファイルとは、接客者に係る紹介情報、コンサート、展覧会等のイベントの紹介情報、及び、音楽ＣＤ、ビデオ、ＤＶＤ等の著作物が記録されたメディアの紹介情報等を記録したファイルである。【００３５】  マーク記号の構成について。
マーク記号１０の構成について図１８に基づいて説明する。
マーク記号１０は、階層構造を有し、事業者番号１６、カテゴリー記号１７，サブグループ記号１８と、付加情報１９等を備えた、公知の通信プロトコルを利用して伝達可能な情報の集まりである。
事業者記号１６は、事業者を特定するための記号である。
カテゴリー記号１７は、エンターティナー（ミュージシャン、画家等の情報を発信する個人及び団体）、若しくは、製造業、サービス業等に分類されたカテゴリーを特定するための記号である。【００３６】  サブグループ記号１８は、マークされた入力手段６２の特定、及び、その入力手段を管理する接客者１４０を特定するための記号である。
付加情報１９には、マークされた時の日時や、マークした入力手段６２に関わる情報（ホームページ、コンテンツファイル等）を表示するサーバのＵＲＬ情報、マークした際に発生したサービスポイント、サービスポイントの有効期限、マークした際に購入した商品の明細などが必要に応じて付加される。
なお、これらのマーク記号の記述ルールは、識別子管理センター、事業者、接客者間で取り決められていれば、本実施例の形式にとらわれることなくどのような形式でも採用が可能である。【００３７】  全体の構成について、
以下に、本実施例における一実施形態について図面を参照して説明する。
図１は、本発明の全体の構成の一実施例を示す概念図であって、識別子管理センター１１０の情報処理装置６０ｈ（Ａ）に情報網１０１を介して、生活者端末６、事業者１３０ａ〜１３０ｄのそれぞれの情報処理装置Ｂが接続されている。なお、説明の便宜上単数で記載されているものもあるが、これに捕らわれることなくそれぞれが複数の事業者、複数の生活者端末等が情報網１０１を介して識別子管理センター１１０に接続可能である。【００３８】  また、事業者１３０の情報処理装置Ｂには複数の接客者１４０の情報処理装置Ｃが情報網１０１を介してそれぞれ接続され、更にはエンターティナー１５１の情報処理装置Ｃとその入力手段６２が情報網１０１を介して複数接続可能である。この事業者の一つであるミュージアム型事業者１３０ｄは固定された施設であって、この施設内に識別子の情報を入力する入力手段６２を備えたもので、情報処理装置６０ｄ内にコンテンツファイル６８ｄを備えている。【００３９】  ここで、事業者は、識別子所有者（生活者）に商品の販売及びサービスを提供する接客者を管理してグループを形成している。このグループの特徴は、事業者はグループに属する接客者の紹介情報を記憶したコンテンツファイル６８を備えているので、コンテンツファイルのメンテナンスを事業者が行うことが可能となる。このことは、例えば、接客者がコンピュータ等の端末の操作に慣れていなくても、事業者がコンテンツファイルを更新し最新の接客者の紹介情報を識別子所有者に発信することを可能とするので、接客者においてコンテンツファイルを作成する労力を省くことができるという効果がある。【００４０】  なお、本発明のネットワーク参加する識別子管理センター１１０と、事業者１３０と、接客者１４０の利益構造について説明すると、事業者はコンテンツファイルをメンテナンスすることによって接客者から料金を徴収することも可能で、この様に相互に依存することによってグループが維持されるという効果が得られる。
更に、識別子管理センターは、識別子所有者（生活者）がメインメニューを閲覧するので新しい形態のポータルサイトを運営することができ、また、識別子ＩＤの管理運営や、識別子を備えたカード類の発行を行って収益を出すことが可能である。
つまり本実施例のネットワークシステムは、実空間の中で消費者に商品を販売したりイベントなどのサービスを提供する接客者と、この接客者の紹介情報であるコンテンツファイルを管理する事業者と、識別子ＩＤに関連付けられた個人情報とコンテンツファイルのＵＲＬを管理する識別子管理センターのそれぞれが異なる役割を可能とし、それぞれ異なる収益の構造を持って互いに相互依存することで成り立つのである。
また、このような構造を持っているので、例えば接客者が年に数回顧客に情報を発信しないような地方の特産物の販売店であっても、この販売店にマークしてくれた首都圏の識別子所有者にＥメール等で情報を発信することが可能となるネットワークの構築が可能となるのである。【００４１】  なお、本実施例においては説明の便宜上必要に応じて事業者のそれぞれに、事業者１３０ａに「Ａ事業者」、事業者１３０ｂに「Ｂ事業者」、事業者１３０ｃに「Ｃ事業者」、ミュージアム型事業者１３０ｄに「Ｈ美術館」の仮称と、更に、それぞれの接客者である、接客者１４０ａ１に「ホテル軽井沢」、エンターティナー型接客者１５１ｂ１に「Ａミュージシャン」、接客者１４０ｃ１に「Ａ陶芸家」の仮称と、ミュージアム１３０ｄが主催した１イベントに「ピカソ展」の仮称を必要に応じて与えて以下に説明する。【００４２】  図２は、ネットワークシステム１００の組織の構造の一実施例の概略を示す概念図である。本実施例のネットワークシステムの構造は、大きく統括セクタＴ１とコンテンツセクタＴ２に分類され、コンテンツセクタＴ２は事業者セクタＴ３と接客セクタＴ４に分類されている。【００４３】  統括セクタＴ１には、識別子管理センター１１０が属し情報処理装置Ａを管理している。
また、事業者セクタＴ３にはミュージアム１３０ｄと、事業者セクタＴ３の事業者１３０が属し情報処理装置Ｂを管理している、接客セクタＴ４には接客者１４０とエンターティナー１５１とが属し情報処理装置Ｃを管理している。
一方、事業者セクタＴ３の事業者１３０は、接客セクタＴ４に位置する自らが所属するグループの接客者１４０・１５１の紹介情報であるコンテンツファイル６８を記憶している。またこれらのグループは、本件出願人が先に出願した（ＰＣＴ／ＪＰ２００４／０１７７２７）のアナログチップを識別子に採用して各グループ毎に異なるアナログチップの真贋を判定する真贋判定手段を有していても良い。なお、アナログチップによる真贋判定手段については後述する。【００４４】  情報処理装置の構成について。
図３は、情報処理装置６０の構成を示すブロック図である。この図において符号６１は制御手段でありＣＰＵ等から構成され、各部の制御、データの転送、種々の演算、データの一時的な格納を行う。入力制御手段７２は情報網（インターネット）１０１に接続されて入力されるデータを制御する。出力制御手段７１は情報網１０１に接続されて出力されるデータを制御する。符号５０〜５３、６４〜６８はいずれも記憶手段であって、それぞれ以下のファイルが格納されている。【００４５】  まず記憶手段６４にはメインプログラムが記憶され、このメインプログラムは制御手段６１において用いられるものであって、例えば図示しない出力手段のＣＲＴやＬＣＤ等の表示部に後述のホームページ及びパーソナルページを表示させるプログラムや、サーバ間で認証を行うシングルサインオンのプログラム、地図上に識別子所有者がマークした接客者や施設などを表示させるプログラム、後述のリストボックスの項目にある「マーク日時順」等の条件に基づいて記憶された情報を表示させるためのプログラム、文字検索により必要な情報を得るための検索用プログラム、イベント指示に関する情報の処理を行うためのプログラム等を備えている。他にこの記憶手段には、顧客端末などから送信されてくる情報が一時的に格納される。【００４６】  記憶手段６５には地図ファイルが記憶されている。本実施例における地図ファイルは多層の階層構造を有しており、最上層は日本全図であって下層に行くに従って縮尺が小さくなるように構成され、接客者を地図上の位置データとして表示可能である。
記憶手段６６にはキャラクタファイルが記憶され、かかるキャラクタファイルは、表示文字データ、アイコンのビットマップデータ等から構成されている。【００４７】  記憶手段６７には一般情報ファイルが記憶されている。この一般情報ファイルには、ホームページを表示する際に必要とされるデータ、掲示板に投稿されたデータ等の上記の記憶手段に分類されない一般情報が記憶されている。
記憶手段６８には、マーク記号毎の接客者やイベント等の紹介情報を有する複数のコンテンツファイルが記憶されている。【００４８】  記憶手段５０〜５３にはデータベースが記憶されている。このデータベースを更に説明すると識別子管理センター１１０の情報処理装置にはセンターデータベース５０が設けられ、事業者１３０の情報処理装置には事業者データベース５１が設けられ、接客者１４０の情報処理装置には接客者データベース５２が設けられ、ミュージアム１３０ｄの情報処理装置にはミュージアムデータベース５３が設けられているが、これらのデータベースのそれぞれの働きについては後述する。【００４９】  また、情報処理装置６０にはＣＲＴやＬＣＤ等の出力手段６３、及び、識別子ＩＤを読み取るためのリーダ、マウス、ポインティングデバイス、キーボード等の入力手段６２が接続されている。
なお、前記の記憶手段は、すべての情報処理装置に必要不可欠ではなく、識別子管理センター、事業者、接客者のそれぞれにおいて機能上必要とされる記憶手段を備えていれば良いことは言うまでもない。【００５０】  ここで、各事業者の情報処理装置６０に記憶されるホームページ１３１の概略について説明する。
各事業者の情報処理装置に記憶されたホームページ１３１は、識別子所有者がマークしたコンテンツ名の履歴をリストボックス構造に記述したコンテンツ名リストボックス１３３と、各事業者の一般的な広告等の情報である一般情報６７と、掲示板７７等を備える。この前記コンテンツ名リストボックス１３３は各識別子のマークの履歴によって異なる。従って、各事業者ホームページは識別子毎に異なる情報を表示する事業者におけるパーソナルページでもある。【００５１】  各事業者の情報処理装置に記憶されるコンテンツファイル６８の概略について説明する。
各事業者の情報処理装置に備えられるコンテンツファイル６８には、主として同一グループの各接客者にかかる紹介情報や、接客者が管理したイベント等の紹介情報が記憶されており、その他に、接客者が管理するホームページ、若しくはパーソナルページへのＵＲＬ、接客者のＥメールアドレス、掲示板等のデータが記憶されている。【００５２】  データベースの構成について、
本実施例では、リレーショナルデータベースとされるデータベースの形式を採用した。なお、管理されるデータに応じて複数のテーブルが設けられている。なお、これらテーブルのデータは関連付けが為されている。また、これらのテーブルから条件に合ったデータを検索して表示するクエリと、利用者からの要求により情報の入力を可能とするフォームとを有している。
また、これらのテーブル、クエリ及びフォームは全てが必要とされるのではなく、任意に必要とされるテーブルとクエリとフォームや、図示されていない印刷時の書式を決めるレポート等を組み合わせてデータベースが構成されればよく、本件発明の技術思想を実現するものであれば、様々なデータベースの構成、及び形式が採用可能であることは言うまでもない。【００５３】  図４のデータベースは識別子管理センター１１０の情報処理装置６０ｈに設けられたセンターデータベース５０である。このセンターデータベースの主たる特徴は、識別子ＩＤ２とコンテンツファイルのＵＲＬ１１とがマーク記号１０を介して関連付けされていることにある。
さて、このセンターデータベース５０には、識別子所有者テーブル８０と、状況データテーブル８１と、暗証番号テーブル８２と、コンテンツ管理テーブル８３と、事業者記号テーブル８４と、カテゴリー記号テーブル８５と、変更フォーム８６と、顧客番号クエリ８７等が必要に応じて備えられている。【００５４】  識別子所有者テーブル８０には、識別子１の所有者を管理するための顧客番号９と、識別子１を特定する識別子ＩＤ２と、この識別子ＩＤ２に関連付けて識別子所有者５の個人情報である氏名２２、住所２３、電話番号３８、Ｅメールアドレス２４が記憶され、更に、マーク記号のリストを記憶するマークリスト２５と、識別子１の有効期限２６等の列が設けられ必要に応じて情報が記憶されている。【００５５】  状況データテーブル８１は、識別子管理センター１１０にアクセスがあった際に識別子１の状態に応じてアクセスの可否を決定するために必要とされる状況データ２１を記憶するためのテーブルであって、識別子１が有効であるか、無効であるか、識別子１の効力が停止された状態で有ることを示す停止等の各識別子１の状況を記憶している。【００５６】  暗証番号テーブル８２には、識別子管理センター１１０へのログオンするための識別子ＩＤ２に対応する暗証番号３０が記憶されている。【００５７】  コンテンツ管理テーブル８３には、マーク記号１０と、このマーク記号に係るコンテンツの名称であるコンテンツ名称１４と、マーク記号１０にかかる情報を記憶するコンテンツファイルのインターネット上の住所であるＵＲＬ１１と、コンテンツファイル６８の有効期限であるコンテンツ有効期限１３等が記憶されている。なお、このコンテンツ有効期限１３は、古くなったマーク記号の情報を自動的に消去する際に利用され、センターデータベース５０に記録される情報が無制限に増大することを防止している。【００５８】  事業者記号テーブル８４は、マーク記号１０の最上層の事業者記号１６にかかる情報を記憶するためのテーブルであって、事業者名１５と、この事業者がホームページを運営している際にはそのホームページのＵＲＬであるＨＰ・ＵＲＬ２７とが記憶されている。【００５９】  カテゴリー記号テーブル８５は、マーク記号１０の中層のカテゴリー記号１７に係るカテゴリー名２０を記憶するためのテーブルである。なお、カテゴリー記号１７とは、エンターティナー（ミュージシャン、画家、演劇家等）や、業種（洋装店、書店、鮮魚店、スーパー等）を分類するための記号であって、このカテゴリー名２０は、後述の、識別子ＩＤ毎のメインメニュー７において表示される。【００６０】  変更フォーム８６は、識別子所有者５が生活者端末６を操作して情報網１０１を介して識別子管理センター１１０にアクセスした際に、情報処理装置Ａの制御手段６１が識別子ＩＤ２にかかる氏名２２、住所２３、電話番号３８、Ｅメールアドレス２４、暗証番号３０等の情報を検索して生活者端末６に表示させることによって、識別子所有者５が必要に応じて変更を加えることを可能とするフォームであって。この変更フォーム８６から入力されたデータは、まず、識別子所有者テーブル８０に反映され、更に、マークリスト２５に記憶されたマーク記号に関連する���業者のデータベースにも反映されるので、識別子所有者は一度の入力で必要とされる複数の事業者データベースの顧客情報を変更できるという優れた効果がある。【００６１】  顧客番号クエリ８７は、識別子所有者５が複数の識別子ＩＤを所有している際に、識別子ＩＤのリストを作成するためのクエリである。なおこの機能は、顧客番号９に変えて識別子所有者の顧客情報（名前や住所等）を採用して識別子ＩＤのリストを作成することも可能である。なお、顧客番号９か識別子所有者の顧客情報かを選択するのは単にデータベースを設計する際の設計事項である。【００６２】  図５のＡ事業者１３０ａの情報処理装置６０ａは、Ａ事業者データベース５１ａとコンテンツファイル６８ａとＡ事業者ホームページ１３１ａとを備え、このコンテンツファイル６８ａは、Ａ事業者１３０ａが管理する接客者１４０の紹介情報を生活者端末６に表示する内容７６を記憶している。更に、接客者と識別子所有者とが相互発信可能な掲示板７７を備えることが出来る。【００６３】  まず、前記Ａ事業者ホームページ１３１ａは、後述の顧客管理テーブル８８のマークリスト２５に記憶されたマーク記号に関連付けされたコンテンツ名称１４をリストボックス構造に表示するコンテンツ名リストボックス１３３と、Ｂ事業者の一般的な情報である一般情報６７と、顧客情報の変更ボタン７９と、掲示板７７等を備え、識別子所有者５が生活者端末６を操作して事業者の情報処理装置にアクセスした際に生活者端末６に表示される。なお、このコンテンツ名リストボックス１３３のコンテンツ名を表示するボタンがポインタでクリックされると、関連するコンテンツファイル６８ａを表示させることができる。
さてまた、前記コンテンツ名リストボックスの内容は、各識別子のマークリスト２５に記憶されるマークの数に応じて変化するので、事業者ホームページ１３１は識別子ＩＤ毎に異なる情報を表示する事業者による識別子ＩＤのパーソナルサイトとしても機能する。【００６４】  他方、Ａ事業者データベース５１ａは、顧客管理テーブル８８、発送データクエリ８９、マーク記号テーブル９０、状況データテーブル８１等を必要に応じて備えている。【００６５】  顧客管理テーブル８８には、識別子ＩＤ２と、この識別子ＩＤにかかる情報である識別子所有者の個人情報である氏名２２、住所２３、電話番号３８、Ｅメールアドレス２４等、及び、識別子が入力手段からマークされた際のマーク記号１０を記録するマークリスト２５（マークの履歴情報）と、識別子の有効期限２６等の列が備えられ必要に応じて情報が記憶される。
なお、この顧客管理テーブル８８のマークリスト２５に記憶されるのは、事業者と同じグループの接客者が管理する入力手段６２から送信されてくるマーク記号１０である。【００６６】  発送データクエリ８９は、後述の接客者１４０から送信されてくるイベント指示クエリ９５の内容３１と識別子ＩＤ２のデータに基づいて、Ｅメール及び発送物を発信するために識別子ＩＤにかかる個人情報を収集するクエリであって、識別子ＩＤ２と、氏名２２，住所２３と、Ｅメールアドレス２４、発送物５８等の情報を収集し、その後、識別子所有者５に接客者からの情報発信を可能とする。【００６７】  マーク記号テーブル９０には、Ａ事業者が主催したイベントを特定するマーク記号１０、若しくは、事業者１３０ａが管理する接客者１４０ａを特定するマーク記号１０が記憶され、更にこのマーク記号１０に係るコンテンツファイル６８の階層化ディレクトリを記述するコンテンツファイル名１２と、このコンテンツファイルの名称であるコンテンツ名称１４、前記コンテンツの利用期限であるコンテンツ有効期限１３等が記憶されている。なお、コンテンツ名称１４は後述のメインメニュー７のリストボックスの項目に表示に利用され、また、コンテンツ有効期限１３の意義は、一定の期間が過ぎると不要なコンテンツを無効としてデータベースの肥大化を防止する点にある。
状況データテーブル８１は、識別子ＩＤ２に係る状況データ２１を記憶している。
また、コンテンツファイル６８ａとして、Ａ事業者１３０ａのグループに属する接客者１４０の紹介情報であるＡ−６−２Ａ・Ａ−５−３Ｃ・Ａ−５−５等が記憶されている。【００６８】  図６のＢ事業者１３０ｂの情報処理装置６０ｂの記憶手段には、Ｂ事業者データベース５１ｂとコンテンツファイル６８ｂとＢ事業者ホームページ１３１ｂとを備えている。なお、各事業者は略共通のテーブル等を備えているので、符号等で数字の部位が共通する構成について特に説明がないものはＡ事業者の情報処理装置における説明を慣用するとともに共通のテーブルやクエリ等の説明は省略する。【００６９】  図７のＣ事業者１３０ｃの情報処理装置６０ｃの記憶手段には、Ｃ事業者データベース５１ｃとコンテンツファイル６８ｃとＣ事業者ホームページとを備え、Ｃ事業者データベース５１ｃは前記Ａ事業者データベース５１ａと略同一のデータベースの構成を有している。【００７０】  図８のミュージアム１３０ｄの情報処理装置６０ｄの記憶手段には、ミュージアムデータベース５３とコンテンツファイル６８ｄとＨ美術館ホームページ１３１ｄとを備えている。
このミュージアムデータベース５３は、顧客管理テーブル８８と、マーク記号テーブル９０と、状況データテーブル８１ｄ等を必要に応じて備え、それぞれのコンテンツファイル６８ｄには、マーク記号毎にＨ美術館がイベントとして企画したピカソ展などの内容７６が記憶されている。【００７１】  図９に示すデータベースは接客者に設けられた情報処理装置の一例であって、本例の接客者１４０ａ１（ホテル軽井沢）の情報処理装置６０ａ１には、接客者データベース５２ａ１と、識別子ＩＤ毎に異なった情報を提供することが可能なＷｅｂページである接客者パーソナルページの情報を記憶する記憶手段とを備えている。
前記、接客者データベース５２ａ１には、お得意管理テーブル９３と、マーク記号情報テーブル９４と、イベント指示クエリ９５と、顧客サービスクエリ９７等が必要に応じて備えられている。【００７２】  お得意管理テーブル９３には、接客者が顧客を管理するための独自の顧客番号３２と、顧客の所有している識別子１の識別子ＩＤ２と、有料会員か無料会員かなどの会員の種別を示すグレード４２と、顧客が商品の購入等で付与されたポイント３７と、識別子の有効期限２６と、顧客の個人情報である氏名２２，住所２３，電話番号３８，Ｅメールアドレス２４等がそれぞれ記憶されている。
なお、これらの個人情報は接客者自身が顧客から得られない場合には空欄であっても、後述のイベント情報発信手段によって接客者から事業者を介して識別子所有者へ情報を発信することが可能である。【００７３】  マーク記号情報テーブル９４は、マーク記号１０、接客者の名称である接客者名称４３、及び、接客者のホームページのＵＲＬ情報と接客者が主催したイベント及び商品を特定等をするための付加情報１９を記憶する付加情報欄４４を備え、イベント等を主催した際に、マーク記号１０を新たに作成し管理する事業者に情報を発信して、事業者が記憶するマーク記号テーブル９０にマーク記号１０と、マーク記号に係る情報を追加することを可能とする。【００７４】  イベント指示クエリ９５は、顧客に情報を発信する際に利用されるクエリであり、情報処理装置６０ａ１の操作者が入力手段６２から条件３１を入力して設定すると、その条件３１に適合する識別子ＩＤ２の情報を制御手段６１によって収集することを目的としている。
本例では、識別子ＩＤ２に付与されたポイント３７とグレード４２を条件とする条件３１と、イベント指示をどの様な形態と内容で行うのかを指示する内容３１ａとが設定され、更に、前記条件３１に適合する識別子ＩＤ２の情報が制御手段６１によって収集され記憶されている。【００７５】  顧客サービスクエリ９７は、顧客であるマークをした識別子所有者５から問い合わせの有った際に、その顧客が所有する識別子ＩＤ２に付与されたポイント３７と、グレード４２等を表示させるためのクエリである。【００７６】  又、接客者のパーソナルページ１４２には、接客者自身の紹介情報である内容７６と、識別子ＩＤに応じたグレード４２とポイント３７等とを表示する前記顧客サービスクエリ９７と、顧客情報の変更ボタン７９と、不特定多数の顧客からの意見を書き込める掲示板７７とが備えられている。なお、前記顧客情報の変更ボタン７９の意義は、識別子所有者５が生活者端末６を操作して情報処理装置６０ａ１にログオンした状態で、このボタンが識別子所有者によってクリックされると、識別子管理センター１１０の変更フォーム８６に接続され、変更フォーム８６が生活者端末６に表示されることにある。【００７７】  動作の説明
なお本実施例においては、接客者と事業者と識別子管理センタの各情報処理装置間の情報のやりとりは相互に認証が行われてアクセスの権利があることが確認されるものとする。従って、本例のネットワークシステム１００においては、生活者Ａ氏が識別子管理センターにログオンすると、識別子管理センターの情報処理装置を介して事業者の情報処理装置や接客者の情報処理装置に更に接続される際に一度の認証で済む所謂シングルサインオンの機能を有しているものとする。
また、本実施例では、識別子管理センターにログオンする際の権利は識別子ＩＤを利用するが、これにとらわれることなく、識別子ＩＤに変えて顧客番号９や、顧客情報（氏名住所等）を入力手段６２に入力することによってログオン出来るようにこのシステムを設計することも可能であることは言うまでもない。
また、識別子１の真正性を認証するための認証システムに関しては、出願人が先に出願した（ＰＣＴ／ＪＰ２００４／０１７７２７）の偶然性を利用して物理的な特徴が付加されたアナログチップを採用して、グループごとに異なる方法でアナログチップの真贋を判定する真贋判定手段が採用されることが好ましい。【００７８】  さて次に、識別子所有者５が識別子１で接客者の入力手段にマークした際の一連の処理について説明する。
識別子所有者５である生活者Ａ氏が実空間の入力手段にマークした際の、接客者、事業者及び識別子管理センターの各情報処理装置の動作の例を、識別子ＩＤ「Ｔ２３８」が、接客者１４０ａ１「ホテル軽井沢」で「マーク」したと仮定して図１０を参照して説明する。【００７９】  まず、接客セクタＴ４における接客者１４０ａ１「ホテル軽井沢」の情報処理装置６０ａ１の制御手段６１ａは、入力手段６２ａ１が識別子１のＩＤ「Ｔ２３８」の情報を読み取ると、そのＩＤ情報に接客者１４０ａ１でマークされたことを示す「Ａ−６−２Ａ」のマーク記号１０を付与し、このマーク記号と識別子ＩＤ「Ｔ２３８」とをＡ事業者１３０ａの情報処理装置６０ａに送信する通信Ｔｒ１を行う。【００８０】  Ａ事業者１３０ａの制御手段６１ａは、識別子ＩＤの「Ｔ２３８」を顧客管理テーブル８８の識別子ＩＤ２の欄に記録するとともに、マーク記号「Ａ−６−２Ａ」をマークリスト２５に記憶させ。更に、識別子管理センター１１０に識別子ＩＤ２とマーク記号１０を送信する通信Ｔｒ２を行う。【００８１】  識別子管理センター１１０の情報処理装置６０ｈの制御手段６０ｈは、Ａ事業者１３０ａから識別子ＩＤ１０「Ｔ２３８」とマーク記号「Ａ−６−２Ａ」が通信Ｔｒ２によって送信されてくると、あらかじめ記憶された識別子所有者テーブル８０の識別子ＩＤ２の列の「Ｔ２３８」の行と、マークリスト２５の列の交差する欄にマーク記号「Ａ−６−２Ａ」を記憶させ図４に示す識別子所有者テーブル８０の状態になる。【００８２】  他方、識別子管理センター１１０の情報処理装置６０ｈの制御手段６１ｈは、識別子ＩＤ「Ｔ２３８」の列に顧客情報である氏名、住所、電話暗号、Ｅメールアドレスなどが記録されている場合には、この顧客情報をＡ事業者１３０ａに送信する通信Ｔｒ３を行う。【００８３】  Ａ事業者１３０ａは、通信Ｔｒ３によって送信されてくる識別子ＩＤ「Ｔ２３８」にかかる情報を、顧客管理テーブル８８の、氏名２２、住所２３、電話番号３８、Ｅメールアドレス２４の各欄に記憶させて登録し図５の顧客管理テーブル８８の状態となり、一連の識別子ＩＤに係る個人情報を事業者の情報処理装置Ｂに登録する登録システムの処理を終了する。【００８４】  前記の登録システムの意義は、生活者Ａ氏が接客者に名前を知られたくない時や、マーク時に顧客情報を記入することが煩わしい場合であっても、例えば、接客者が行う季節のイベント情報の通知がほしいときにはマークをしておけば、Ａ事業者の顧客管理テーブル８８には個人情報が蓄積されるので、後述するイベント情報発信手段によって生活者Ａ氏は事業者１３０ａから接客者の情報を受け取ることが出来る。
更に、個々の接客者は識別子を全く発行しなくても識別子ＩＤを読み取る入力手段を備えていれば、本件発明のネットワークシステムに参加でき、更に言えば、事業者と接客者で作ったグループでも識別子を発行することなく本件発明のネットワークシステムに参加できるので、ごく小さなグループや接客者が容易に参加できるネットワークシステムを構築できるという優れた効果がある。【００８５】  接客者がイベントを企画した際に情報を発信するイベント情報発信手段について説明する。
接客者１４０ａ１「ホテル軽井沢」がイベントを企画し、以前来店してマークしてくれた識別子所有者である生活者Ａ氏５ａにイベント情報を発信する際の動作について図５、図９、及び、接客者からイベント情報を発信するイベント情報発信手段の動作を示すブロック図である図１１に基づいて説明する。【００８６】  まず、接客セクタＴ４に属する接客者１４０ａ１「ホテル軽井沢」がイベントを企画した際に、情報処理装置６０ａ１を操作するオペレータは、まず、図９に示す接客者データベース５２ａ１のイベント指示クエリ９５の条件３１のポイントとグレードの列にそれぞれ数値及び記号などを入力し条件３１を設定し、更に、この条件を満たす識別子ＩＤにどのような内容をいかなる媒体で発信するかを具体的に指示する「Ｅメール・葉書・雑誌」などを内容３１ａに入力する。【００８７】  これらの情報が接客者１４０ａ１のオペレータによって入力されると情報処理装置６０ａ１の制御手段６１ａ１は、前記条件３１を満たす識別子ＩＤ２のデータを検索して収集し、イベント指示クエリ９５の識別子ＩＤ２の列に記憶して図９に示すイベント指示クエリ９５の状態とし、この内容３１ａと識別子ＩＤ２の情報をＡ事業者１３０ａに送信する通信Ｔｒ４を行う。【００８８】  Ａ事業者１３０ａの情報処理装置６０ａの制御手段６０ａは、接客者１４０ａ１のイベント指示クエリ９５からの情報が通信Ｔｒ４で送信されてくると、図５に示すＡ事業者データベース５１ａにある発送データクエリ８９の識別子ＩＤ２の列に送信されてきた識別子ＩＤの情報（例、識別子Ａ氏が所有の識別子のＩＤ「Ｔ２３８」）を入力し。他方、顧客管理テーブル８８に記憶されたこの識別子ＩＤ「Ｔ２３８」に係る氏名２２と住所２３とＥメールアドレス２４の情報を検索して収集するとともに、発送物５８の欄にイベント指示クエリ９５から送信されてきた内容３１ａ（例、「Ｅメール」）の情報を記憶し、図５の発送データクエリ８９を完成させ、この発送データクエリ８９の情報に基づいて生活者Ａ氏５ａのＥメールを管理するメールサーバ１９０に送信する図１１に示す通信Ｔｒ５を行う。この後、生活者Ａ氏５ａは生活者端末６を操作してメールサーバ１９０と通信Ｔｒ６を行い接客者１４０ａ１「ホテル軽井沢」のイベント情報を受け取ることが出来る。
又、発送物５８が葉書、雑誌などの場合は図示しないＡ事業者の発送センターから、住所氏名が明らかな識別子所有者に発送物５８（葉書・雑誌等）が郵送Ｐｏｓ１で発送される。【００８９】  本実施例の接客者「ホテル軽井沢」がイベントを企画した際のイベント情報発信手段によれば、識別子所有者の顧客情報である住所氏名が「ホテル軽井沢」の記憶手段に登録されていなくても情報を発信することができる。
また、この情報の受け手である識別子所有者５は以前に「ホテル軽井沢」を訪れたことがあり、既に接客者「ホテル軽井沢」に関する知識を有するきわめて有望な顧客であるので、改めて「ホテル軽井沢」を知ってもらうための広告活動をする必要が無い。
従って、この情報のイベント情報発信手段に対する反響率は、「ホテル軽井沢」に関心のない多数の人々を含む不特定多数の人々に無制限に行う現状の広告活動の反響率と比較すると極めて高くなることは容易に予想できるものである。更に、雑誌の様なコストのかかる情報媒体を発送する場合においては、「ホテル軽井沢」の入力手段にマークした顧客のみに発送するので、不特定多数の人々に発送するのと比較すると広告費の削減効果が顕著である。【００９０】  識別子所有者のマークの履歴情報を前記生活者端末に供給する供給方法について図１３、図１４と図１２とを主として以下に説明する。【００９１】  図１２は、識別子所有者である生活者Ａ氏５ａが自らの生活者端末６を操作して、実空間に存在するコンテンツセクタＴ２の入力手段６２にマークした情報の履歴を問い合わせる際の動作を説明するためのブロック図である。【００９２】  図１３、図１４は、生活者Ａ氏５ａからの問い合わせがあった際の情報の供給方法を説明するためのフローチャートであって、更に詳細に説明すると、生活者Ａ氏５ａの生活者端末６が情報網１０１を介して識別子管理センター１１０の情報処理装置６０ｈにアクセスすると、識別子管理センター１１０の情報処理装置６０ｈの制御手段６１ｈはステップＳａ１のアクセスとして検知し、その後に生活者端末６に情報を供給する際の動作を説明するための図である。【００９３】  まず、マーク記号とそれに係る情報、及び、この説明で利用する識別子ＩＤが「Ｔ２３８」の識別子所有者５（生活者Ａ氏）に係る住所氏名などの個人情報は、既に識別子管理センター１１０のセンターデータベース５０の識別子所有者テーブル８０、及び、Ａ事業者１３０ａのＡ事業者データベース５１ａに登録されていることを前提とする。【００９４】  次に、識別子管理センター１１０の情報処理装置６０の制御手段６１が、図１３に示す識別子ＩＤ毎のメインメニュー７の表示に必要な情報をどのように収集するかを一例としてマーク記号「Ａ−６−２Ａ」について説明する。
まず、マーク記号１０の先頭の記号である事業者記号１６が「Ａ−＊−＊」であるので図４に示すセンターデータベース５０の事業者記号テーブル８４の事業者名１５から「Ａ事業者」とそのホームページ（ＨＰ）ＵＲＬ２７のデータが得られ、次に、マーク記号のカテゴリー記号１７が「＊−６−＊」であるのでカテゴリー記号テーブル８５からカテゴリ名は「サービス」のデータが得られ、更に、「Ａ−６−２Ａ」のデータからコンテンツ管理テーブル８３に記憶されたコンテンツ名称１４の「ホテル軽井沢」とコンテンツファイルＵＲＬ１１の情報が収集される。以下にその他のマーク記号１０の情報についても同様に収集され識別子ＩＤ毎のメインメニュー７の表示に必要な情報が収集される。
図１９は、識別子ＩＤ「Ｔ２３８」がマークしたマーク記号のリストから得られる情報の一部を表にしたものである。【００９５】  次に、具体的な動作について説明すると、図１２に示す識別子ＩＤ「Ｔ２３８」の所有者である生活者Ａ氏５ａが、生活者端末６のＷｅｂブラウザに識別子管理センターのアドレス（ＵＲＬ）を入力して識別子管理センター１１０に通信Ｔｒ７でアクセスすると図１３に示すアクセスステップＳａ１となる。【００９６】  このアクセスがあると識別子管理センター１１０の情報処理装置６０は、次のステップＳａ２においてこのアクセスの権利の認証（識別子自体の真贋を判定する真贋判定方法については後述する）が済んでいるかどうかを確認し、「ＹＥＳ」で有ればステップＳｂ１の識別子ＩＤ毎のメインメニュー７（以下、メインメニュー７と記す）に移行するが、認証が済んでいない場合には「ＮＯ」となるので、次のステップＳａ３において「識別子ＩＤと暗証番号を入力して下さい」の表示を生活者端末６の表示部に表示させて識別子ＩＤと識別子所有者本人を認証するための暗証番号の入力を催促する。このとき生活者Ａ氏から識別子ＩＤ及び暗証番号の入力が無いときには「ＮＯ」と情報処理装置６０に判定されて図１４のステップＳａ６の「識別子申し込みフォーム」に移行する。一方、生活者Ａ氏から識別子ＩＤと暗証番号が入力されると「ＹＥＳ」と判定され次のステップＳａ４の「識別子は有効か」に移行する。【００９７】  ステップＳａ４では、識別子管理センター１１０のセンターデータベース５０の状況データテーブル８１の状況データ２１に問い合わせ、データが「有効」以外の「無効」等の場合には「ＮＯ」と判定されて、図１４に示すステップＳａ８の「貴方の識別子は無効です」のメッセージが記載されたボタンＢｔ５を表示させる、このボタンＢｔ５を生活者Ａ氏５ａがマウスポインタでクリックするとステップＳａ３の状態に移行させる。また、状況データ２１のデータが「有効」であれば「ＹＥＳ」と判定され次のステップＳａ５「識別子ＩＤとパスワードが合っているか」に移行させる。【００９８】  ステップＳａ５では、生活者Ａ氏から送信されきた識別子ＩＤ２と暗証番号（パスワード）３０とがセンターデータベース５０の暗証番号テーブル８２のデータと合致していると「ＹＥＳ」と判定されメインメニュー７が表示されるが。合致しない場合には「ＮＯ」と判定され図１４のステップＳａ９に移行して「貴方の識別子ＩＤかパスワードのいずれかが間違っています。」のメッセージが記載されたボタンＢｔ６を表示させる、図示しないマウスカーソルでこのボタンＢｔ６をクリックすると図１３のステップＳａ３に移行して再度識別子ＩＤと暗証番号の入力を生活者Ａ氏に求める。【００９９】  なお本実施例のステップＳａ２において為される、識別子１のアクセスの権利があるかどうかを検査する認証にはＳＳＬプロトコル等のサーバ間で行われる認証、および、ユーザー情報やアクセス履歴などの情報をＷｅｂブラウザとＷｅｂサーバ間でやりとりするための「Ｃｏｏｋｉｅ」等を利用する認証を含み、その識別子１にアクセスの権利があると検査できるシステムであれば、どのようなシステムであっても採用が可能である。ま��、識別子が本物であること、及びアクセスしてきた人物が真の所有者であることを証明するＩＣカードや、生体認証機能付きの携帯電話を識別子に採用すると、セキュリティ機能が上がり更に好ましいものである。【０１００】  次に、本実施例のステップＳｂ１のメインメニュー７の役割を説明すると、メインメニュー７は識別子ＩＤ「Ｔ２３８」の識別子所有者である生活者Ａ氏５ａが実空間に存在する入力手段６２に識別子の情報を読み取らせてマークした行動の履歴を表示するものである。従って、識別子所有者のマークした際の履歴行動が互いに異なればメインメニュー７は識別子ＩＤ毎に異なる情報となる。【０１０１】  生活者Ａ氏５ａのメインメニュー７の動作について具体的に説明すると、図１３のステップＳｂ１でメインメニュー７が生活者端末に表示される。このメインメニュー７には、まず、リストボックスＬｂ１と、ボタンＢｔ１・Ｂｔ２と、接客者等からの情報が記載される掲示板Ｋａ１が表示されている。【０１０２】  まず、ボタンＢｔ１「データの変更メニュー」について説明する。ボタンＢｔ１の「データの変更メニュー」を図示しないマウスポインタでクリックすると識別子管理センター１１０の情報処理装置６０ｈは、図４に示すセンターデータベース５０の変更フォーム８６を生活者Ａ氏５ａの生活者端末６に表示させてデータの入力を求め、データを新しく入力するとそのデータが反映されて記憶される。【０１０３】  ボタンＢｔ２「識別子の統合メニュー」をクリックすると、情報処理装置６０ｈは図１４に示すステップＳａ１１の「追加する識別子ＩＤとその暗証番号の入力」の表示を生活者端末６に表示させて入力を求め、その入力が正しければステップＳａ１２の「識別子を統合しますか」と同時に「ＹＥＳ」の記載のあるボタンＢｔ７を生活者端末６に表示させる。生活者Ａ氏５ａがボタンＢｔ７をクリックすると、当初にログインした際の識別子ＩＤのマークリスト２５に、統合される識別子ＩＤに係るマーク記号が追加される。
この機能は、例えば何らかの理由で生活者Ａ氏が複数の識別子を所有していた場合に、それぞれの識別子ＩＤに関連づけされて記憶されたマーク記号を、一つのマーク記号に統合することを可能とするもので識別子所有者がこのネットワークシステムを使用する際の利便性を高めるものである。【０１０４】  なおここでリストボックスについて説明しておく、リストボックスは複数の項目を備え、その項目のそれぞれがボタンの機能を持ち、この項目のボタンをマウスポインタでクリックすると制御手段６１が動作するように構成されている。【０１０５】  次に、図１３に示すメインメニュー７のリストボックスＬｂ１を説明すると、本例では、「事業者」「エンターティナー」「サービス」「ミュージアム」等の、生活者Ａ氏５ａ「Ｔ２３８」が行ったマークの履歴によって表示されるカテゴリーの履歴項目を表示し、更に、「ポイント」「マーク日時」「地図」「検索」等の検索用項目とが表示されている。【０１０６】  生活者Ａ氏５ａの生活者端末６に表示された図１３に示すリストボックスＬｂ１の項目の「事業者」をマウスポインタでクリックすると、識別子管理センター１１０の制御手段６１ｈは、センターデータベース５０の識別子所有者テーブル８０の識別子ＩＤ「Ｔ２３８」の行を参照し、マークリスト２５に記憶されたマーク記号１０の事業者記号１６から事業者名をリストアップしてリストボックスＬｂ２を表示させる。
また、リストボックスＬｂ１の「エンターティナー」の項目をクリックすると、マーク記号のカテゴリー記号１７がエンターティナー「＊−７−＊」からコンテンツ管理テーブル８３のコンテンツ名称１４をリストアップして「Ａミュージシャン」と「Ａ陶芸家」とをリストボックスＬｂ２の項目に表示させる。【０１０７】  同様に、サービスの項目をクリックするとカテゴリー記号１７が「サービス」のコンテンツ名称１４である「ホテル軽井沢」をリストボックスＬｂ４の項目に表示し、「ミュージアム」の項目をクリックすると「ピカソ展」をリストボックスＬｂ５の項目に表示させる。
そしてこれらのリストボックスのボタンをクリックすると、関連するコンテンツファイルや、事業者のホームページが生活者端末に表示される。
なお、円の中に記載された「Ｂ１」や「Ｃ１」等の符号は、同一の符号の場合には関連付けが為されていることを意味している。【０１０８】  次に「ポイント」の項目をクリックすると、情報処理装置は図１４に示すポイント集計クエリ７８に、各事業者に記憶されているポイント、グレードなどを集計するとともに、このポイント等に係る情報としてコンテンツ名称１４，カテゴリー名２０、事業者名１５等のデータを収集し生活者端末６に表示させる。このポイント集計クエリ７８の意義は、生活者Ａ氏がどのようなポイントを持っているかを事業者を横断して収集するので、ポイントを無駄にすることなく有効に利用することを可能とするものである。【０１０９】  更に、「マーク日時」の項目をクリックすると、マーク記号を登録日時順に集計して図示しないテーブル形式の表に表示し、「地図」の項目をクリックすると地図上に接客者がマークした入力手段の位置情報をキャラクタファイル６６に記憶されたアイコンで生活者端末６に表示させ、前記アイコンがクリックされるとコンテンツファイル６８にリンクするように構成され識別子所有者のマークの履歴（識別子所有者の自分史）が表示される。
「検索」の項目をクリックすると、図示しない検索の為のウインドウが表示され、この検索の為のウインドウに検索したいデータを入力すると、本実施例のネットワークシステム１００内にあるデータを検索して生活者端末に表示させる。【０１１０】  図１３に示すリストボックスＬｂ２〜５の動作の詳細について説明する。
まず、リストボックスＬｂ２について説明すると。例えば、生活者Ａ氏５ａが「Ｂ事業者」の項目をマウスポインタでクリックすると、まず識別子管理センター１１０の情報処理装置６０ｈは、センターデータベース５０の事業者記号テーブル８４のＢ事業者のＨＰ・ＵＲＬ２７（ホームページＵＲＬ）を参照し、このホームページＵＲＬのファイルを備えた事業者セクタＴ３の情報処理装置と相互認証をする図１２に示す通信Ｔｒ８を行い、相互認証が完了すると識別子管理センター１１０の情報処理装置は、事業者セクタＴ３に属するＢ事業者１３０ｂが管理する情報処理装置６０ｂにログオンし、情報処理装置６０ｂに記憶されたホームページ情報を読み出して、生活者Ａ氏の生活者端末６に図６に示すＢ事業者ホームページ１３１ｂを表示させる。【０１１１】  このＢ事業者ホームページ１３１ｂは、Ｂ事業者が記憶するコンテンツファイル６８ｂの中から識別子「Ｔ２３８」がマークしたコンテンツのコンテンツ名をリストボックス構造に記述したコンテンツ名リストボックス１３３と、Ｂ事業者の一般的な広告等の情報である一般情報６７と、掲示板７７と、ボタン構造を有する顧客情報の変更ボタン７９等が表示される。この変更ボタン７９を識別子所有者５がマウスポインタでクリックすると、図４に示す識別子管理センター１１０のセンターデータベース５０の変更フォーム８６が生活者端末６に表示されて、識別子所有者の個人情報の変更が可能となるようにプログラムされている。他方、前記コンテンツ名リストは、マークの履歴である識別子のマークリスト２５の内容に応じて識別子毎に異なるので、事業者ホームページは識別子毎に異なる情報を表示するパーソナルサイトとしても機能する。【０１１２】  リストボックスＬｂ３に表示されたＡミュージシャンの項目を生活者Ａ氏５ａがクリックすると、識別子管理センター１１０の情報処理装置６０ｈはセンターデータベース５０のコンテンツ管理テーブル８３を参照し、Ａミュージシャンのマーク記号１０「Ｂ−７−５ａ」からコンテンツファイルＵＲＬ１１の情報を取得すると、このコンテンツファイルＵＲＬのファイルを備えた事業者セクタＴ３の情報処理装置と相互認証する通信Ｔｒ８を行い、相互認証が完了すると識別子管理センター１１０の情報処理装置はＢ事業者が管理する情報処理装置６０ｂにログオンし、図６に示す情報処理装置６０ｂのコンテンツファイル６８ｂにある「Ｂ−７−５ａ」のデータを生活者Ａ氏５ａの生活者端末６に表示させる。【０１１３】  リストボックスＬｂ４に表示されたホテル軽井沢の項目を生活者Ａ氏５ａがクリックすると、識別子管理センター１１０の情報処理装置６０ｈはセンターデータベース５０のコンテンツ管理テーブル８３を参照し、ホテル軽井沢のマーク記号１０「Ａ−６−２Ａ」からコンテンツファイルＵＲＬ１１の情報を取得すると、このコンテンツファイルＵＲＬのファイルを備えた事業者セクタＴ３の情報処理装置と相互認証する通信Ｔｒ８を行い、相互認証が完了すると識別子管理センター１１０の情報処理装置は事業者セクタＴ３に属するＡ事業者１３０ａが管理する情報処理装置６０ａにログオンの状態となり、図５に示す情報処理装置６０ａのコンテンツファイル６８ａにある「Ａ−６−２Ａ」のデータを生活者Ａ氏の５ａの生活者端末６に表示させる。ここで、パーソナルページの項目にボタンの機能を持たせて図９に示す接客者パーソナルページ１４２ａへのリンクをハイパーテキストによって記述しておくと、パーソナルページのボタンを生活者Ａ氏がクリックすると、更に詳細な説明が記載された図９に示す接客セクタＴ４に属するホテル軽井沢の接客者パーソナルページ１４２ａを生活者端末６に表示させることが出来る。【０１１４】  このパーソナルページ１４２ａは、一般的なホテルの情報を表示する内容７６と、顧客サービスクエリ９７と、掲示板７７と、顧客情報の変更ボタン７９とを備えている。
他方、パーソナルページ１４２ａを制御する情報処理装置６０ａ１は生活者Ａ氏の識別子ＩＤ「Ｔ２３８」の権利によってアクセスしてきていることを、識別子管理センター１１０、Ａ事業者１３０ａを介して識別子ＩＤのデータが送信されることによって認識することができる。このデータから情報処理装置６０ａ１は顧客サービスクエリ９７の識別子ＩＤ２の列に「Ｔ２３８」のデータを入力するとともに、お得意様管理テーブル９３の識別子ＩＤ「Ｔ２３８」の列を参照してグレード４２とポイント３７のデータを収集して、図９に示す顧客サービスクエリ９７の状態に完成させる。この顧客サービスクエリ９７を前記パーソナルページ１４２ａに表示させることによって識別子所有者の利便性を高め。一方では、このようなパーソナルページの機能によって、接客者は識別子ＩＤのポイント乃至はグレードに応じたクーポンを発行するなどの木目の細かいサービスをそれぞれの識別子所有者に提供することが可能となるものである。【０１１５】  顧客情報の変更ボタン７９は、識別子所有者にクリックされると、識別子管理センター１１０のセンターデータベース５０の変更フォーム８６を生活者端末６に表示させるようにプログラムされている。
従って、識別子所有者が変更ボタン７９をクリックして、生活者端末６に表示された変更フォーム８６から顧客情報（氏名、住所、電話番号、Ｅメールアドレス等）を変更することができる。一方、この変更フォーム８６で顧客情報が変更されると、識別子所有者テーブル８０の顧客情報にその変更が反映され、その変更されたデータは更に、各事業者のデータベースに反映されるようにプログラムされていると、識別子所有者５は一度の変更で必要とされる事業所の顧客情報をすべて変更することが可能となる。【０１１６】  なお、本実施例ではリストボックスＬｂ、およびボタンＢｔの表示をコンテンツファイルＵＲＬに関連付けられたカテゴリ名等を表示しているとして説明したが、コンテンツＵＲＬそのものを表示してもよく、また、ボタン等についても必ずボタンの形状を必要とするものではなく、カテゴリ名の領域や特定の区域によってコンテンツファイルへのリンクを設定することが可能で様々な表示方法が任意に採用可能である。【０１１７】  カード型識別子について。
識別子であるカード型識別子１７０の一例について図１５に基づいて説明する。
図１５の（Ａ）は表面を示し、（Ｂ）は裏面を示している。
１７０はカード型識別子を示し、１７４はカードの基材であって、この基材１７４の表に識別子ＩＤ２と、入力を簡便化するためのバーコードである識別子ＩＤ２ａと、マーク標章３と、カード番号欄１７６にはカード番号１７５が刻印されている。ここでマーク標章３について説明すると、マーク標章３が付されているカードを接客者である店舗、イベント会場等で呈示すると、接客者側では識別子管理センター１１０に識別子１が登録されていることが了解され、入力手段６２から識別子ＩＤ２のデータが入力される際の符丁となるものである。又、符号３３はアナログチップを示す。【０１１８】  又、カード番号１７５は、このカード型の識別子を顧客に発行した識別子管理センター、事業者（金融機関等を含む）、接客者が独自にカード（顧客）を管理するための番号である。
一方、裏面（Ｂ）には、連絡先１７２と、サイン欄１７３と、識別子管理センターＵＲＬ１１１とが設けられている。この連絡先１７２は、識別子管理センターの電話番号等が記載されているので、カード機能の停止など必要に応じてこの番号から連絡することが出来、識別子管理センターＵＲＬ１１１にアクセスすると、図１３に示すステップＳａ１の状態になる。他方、サイン欄１７３は本人がサインを行うことで本人認証を可能とする。【０１１９】  このような構成を備えた最も簡便なタイプのカード型識別子１７０であっても、識別子としては十分な機能を備えている。言い換えれば、要するに識別子とは一定のデータを読み取ることが出来、その読み取られたデータが識別子管理センター１１０のセンターデータベース５０の識別子所有者テーブル８０において、識別子ＩＤとして登録されていれば機能するのであるから、様々な形態（携帯電話、クレジットカード、前払式証票等）に識別子を採用することが可能で、他方この識別子を採用していることはマーク標章３によって客観的に知ることができるのである。【０１２０】  さて、このカード型識別子の認証において、カード自体が本物であるかを否かは、従来のホログラムを利用したものや、特殊な塗料、非接触型のＩＣなど様々なものが提案されているのでこれらを採用すればよいが、特には、本件発明の出願人が先に出願した（ＰＣＴ／ＪＰ２００４／０１７７２７）に記載された、物理的な特徴を備えたアナログチップ３３を識別子に採用し、このアナログチップの照合に必要な情報を識別子管理センター１１０に記憶させ、識別子管理センターがアナログチップの真贋を判定する真贋判定手段を有していることが好ましい。【０１２１】  更に詳しく説明すると、
アナログチップの物理的特徴の情報であるアナログチップデータと、情報処理装置Ｃの入力手段でアナログチップを観測して得られたチップ観測データとを有し、情報処理装置Ａは、前記識別子を特定する識別子ＩＤに関連付けて前記アナログチップデータを記憶する記憶手段と、前記アナログチップデータと前記チップ観測データとによって当該アナログチップの真贋を判定する真贋判定手段を備えるように構成し、ネットワークシステムにおいて、グループ毎に異なる前記真贋判定手段を設定可能とする。
このように構成されていると、本発明のネットワークを構成するグループごとに異なる方法でアナログチップの真贋を判定することが可能となるので、各グループごとに、必要とするセキュリティレベルの識別子（アナログチップ付き）の真贋判定システムを構築することが可能となるという、優れた効果が得られる。
またさらには、識別子所有者が本人であるかを証明する手段としては、暗証番号などの本人しか知り得ない事実を確認する方法や、指紋、虹彩等のバイオメトリックス（生体認証）等を採用すれば更にセキュリティレベルを上げることが可能となるので好ましい。【０１２２】  配布用識別子について。
次に、予め、マーク記号が付与されている配布用識別子について説明する。
本実施例では、図１０に示したように実空間に存在する入力手段６２ａ１に識別子ＩＤの情報を読み取らせてマークする方法を説明したが、本実施例では、識別子ＩＤと、暗証番号と、マーク記号１０が予めネットワークシステムに登録されている図１６に示す配布用識別子１８０について説明する。【０１２３】  この配布用識別子１８０は、事業者がコンテンファイルを作成しそのマーク記号を付与することが可能な一定の条件を満たす場合に発行される。例えば、特定のエンターティナーに係る催事及び商品や、特定の可能な団体や施設において顧客に配布するものである。
具体的な例を挙げると、Ｂ事業者１３０ｂが管理するグループ内のＡミュージシャンが開催するコンサートの会場で配布する場合を想定する。【０１２４】  そしてこの配布用識別子１８０の目的とは、例えば、識別子付きパンフレット１８６を受け取った生活者Ａ氏が、生活者端末６から識別子付きパンフレット１８６に記載された識別子管理センター１１０のＵＲＬに後日アクセスすると、図１３に示すステップＳａ１の状態になる。このとき識別子付きパンフレットに記載された識別子ＩＤ２と暗証番号３０とを入力すると、識別子毎のメインメニュー７が表示され、このメインメニュー７に表示されたＡミュージシャンのボタンをクリックすると、Ｂ事業者１３０ｂの情報処理装置６０ｂに記憶された「Ａミュージシャン」のコンテンツファイル６８ｂを生活者端末６に表示させて「Ａミュージシャン」の情報が提供されるが、このコンテンツファイルの情報提供の手段が主たる目的である。ここで生活者Ａ氏が生活者端末６に表示された顧客情報の変更ボタン７９をクリックすると、図４に示すセンターデータベース５０の変更フォーム８６が生活者端末６に表示されて個人情報の入力を可能とする。この個人情報の入力を従の目的とし、このとき個人情報が入力されて識別子所有者５の連絡先が明らかとなった際には、Ａミュージシャン若しくはＢ事業者がイベントなどを企画したときに識別子所有者５に事業者側から情報を発信することが可能となる。このイベント情報発信手段をさらなる従の目的としている。【０１２５】  さて、識別子付きパンフレット１８６はチラシやカタログのような形状に印刷されている、この識別子付きパンフレット１８６には、切り取り線１８２で区画されたパンフレット部分１８４と、一枚ごとに異なる配布用識別子１８０とを備えている。このうち、パンフレット部分１８４は、コンテンツ名称１４を想起させる表題部１８３と、一枚ごとに異なる暗証番号表記１８１と、この暗証番号表記１８１を通常の状態では隠蔽しているがコインなどで引っ掻くとはがれて暗証番号表記１８１が現わす塗料からなる隠蔽部１８５と、識別子管理センターＵＲＬ１１１の記載とを有し、他の部位の配布用識別子１８０には、識別子ＩＤ２と、識別子ＩＤバーコード２ａと、マーク標章３と、表題部１８３と、識別子管理センターＵＲＬ１１１の記載を有している、なお識別子ＩＤ２と、識別子ＩＤバーコード２ａとは一枚ごとに異なるものである。【０１２６】配布用識別子の動作について。
以下に具体的な例を挙げて動作を説明する。図１６に示す識別子付きパンフレット１８６は、Ｂ事業者が管理するＡミュージシャンのコンサート時に複数配布されることを目的とし、予め付与されるマーク記号１０は「Ｂ−７−５ａ」とし、本例の識別子付きパンフレット１８６の識別子ＩＤ２は「Ｔ３００」〜「Ｔ３５０」の内の「Ｔ３０１」とする、この「Ｔ３０１」に係る暗証番号３０は「２３６８」であり、状況データ２１は「有効」とする。ここで、識別子管理センターが識別子ＩＤ毎に適当に付与する顧客番号９は「１５」とし、識別子ＩＤの有効期限は２００７年５月とされる。
一方、Ｂ事業者１３０ｂのデータベース５１ｂの顧客管理テーブル８８には、識別子管理センター１１０が付与した識別子ＩＤ「Ｔ３００」〜「Ｔ３５０」と、マークリスト２５へは「Ｂ−７−５ａ」と有効期限２６とが記録されている。【０１２７】  一方、Ａミュージシャンのコンサート会場で、生活者Ａ氏が識別子付きパンフレット１８６を入手し、その記載から生活者端末６を操作して識別子管理センター１１０にアクセスすると図１７に示すステップＳａ１の状態となり、生活者端末６に表示されるステップＳａ３において識別子ＩＤ２と暗証番号３０とを入力してその後のステップで認証されると、ステップＳｂ１のメインメニュー７ａが表示される。ここでは図１３に示された符号と同一のものは特に説明のあるもの以外は同一の作用を有するので説明を省略する。【０１２８】  識別子ＩＤ「Ｔ３０１」のメインメニュー７ａのリストボックスＬｂ７は、マーク記号１０が「Ｂ−７−５ａ」しかないので、カテゴリーの履歴項目は「事業者」と「エンターティナー」のみが表示される。
ここで、リストボックスＬｂ７の「事業者」の項目をクリックすると、リストボックスＬｂ８の「Ｂ事業者」が表示される。そしてこの「Ｂ事業者」のボタンをクリックすると図６に示すＢ事業者１３０ｂの情報処理装置６０ｂに記憶されているＢ事業者ホームページ１３１ｂが表示される。【０１２９】  次に、リストボックスＬｂ７の「エンターティナー」の項目をクリックすると、リストボックスＬｂ９の「Ａミュージシャン」が表示される。そしてこの「Ａミュージシャン」の項目をクリックすると図６に示すＢ事業者１３０ｂの情報処理装置６０ｂに記憶されているマーク記号が「Ｂ−７−５ａ」の「Ａミュージシャン」のコンテンツファイルが表示される。【０１３０】  このように識別子付きパンフレット１８６においては、事業者がコンサート等のイベント会場等で識別子付きパンフレット１８６を顧客に手渡すことで、コンサートに来た人々は必要とするときに識別子管理センター１１０にアクセスして「Ａミュージシャン」の最新の情報を得ることが可能で。一方、「Ａミュージシャン」はコンテンツファイルに最新の情報を書き込むとともに、コンテンツファイルにアクセスしてきた顧客にポイントやクーポン等を付与して、顧客の囲い込みを行うプロモーションを行うことが可能となる。【０１３１】  このプロモーションの効果は、コンテンツファイルにアクセスしてきた顧客はコンサート等のイベントに参加して、既にエンターティナーを知っている人々であるので、エンターティナーに興味の無い多数の人々を含む一般的なプロモーションと比較すると、全く興味の無い人々に対する広告等の経費を必要としないことからも極めて効率的なプロモーションとなる。【０１３２】  また、前記配布用識別子は様々な実施方法が可能で、例えば、ＣＤ（ｃｏｍｐａｃｔ  ｄｉｓｃ）、ＤＶＤ、ビデオテープ等のパッケージソフトに付帯させてそのパッケージソフトに係るエンターティナーを紹介するコンテンツファイルを事業者が管理して、エンターティナーのプロモーションを行うことも可能で、このプロモーションで商品を販売した際に事業者がリベートを徴収することによって、事業者とエンターティナーとが相互に依存するネットワークシステムを構築することを可能とする優れた効果を生じる。【０１３３】  また、本件発明の識別子１の形態は、前記実施の形態に限定されるものではなく、その要旨を逸脱しない範囲で種々変更が可能であることはいうまでもない。【０１３４】  また、情報処理装置間の相互認証の場合には、初回に生活者端末と識別子管理センターの情報処理装置が識別子ＩＤ等を参照して相互認証した後には、次回のログインからはクッキー（ｃｏｏｋｉｅ）等を利用しすることによって、公知の情報処理装置同士が認証する認証手段を採用して識別子ＩＤの認証に変えることも可能である。【０１３５】  マーク標章は入力手段６２を備えた店舗、イベント会場にこの標章が掲示されていると、識別子１が使用可能であることを表示するという優れた効果を有している。【０１３６】  また、本実施例に記載のステップが実行される順序は例示の目的のためにすぎず、各プロセスにおけるステップは、どのような順序でもあるいは並列してでも実行することができる。【０１３７】  以上本発明を、実施の形態に基づき具体的に説明したが、本発明は前記実施の形態に限定されるものではなく、その要旨を逸脱しない範囲で種々変更が可能であることはいうまでもない。
【産業上の利用可能性】
【０１３８】  本件発明によれば、事業者や接客者が識別子を発行していなくとも、例えば、接客者が地方の農家であって、この農家で旅行者が商品を購入してマークをした場合には、農家では年に数回しか収穫等の情報の発信機会が無くとも、事業者が農家のコンテンツファイルを管理するとともに、必要に応じてマークした識別子所有者に情報を発信することが可能で、このような発信頻度の機会が希な農家の様な接客者であっても、事業者は過去にこの接客者を訪れた識別子所有者（生活者）へ情報を発信し、接客者である農家の広報活動を支援することが出来る。【０１３９】  従って、本件発明のネットワークシステムには、様々な業種や業態の事業者が参加が可能である。
更に、これらの事業者は管理する接客者の情報の発信などによって広報活動を支援することによって、現状では情報の発信頻度が低くホームページなどの維持管理が出来ない商店や生産者等で有っても参加が可能な、地域の経済の発展に資することが出来るネットワークシステムを構築することが可能であることから、本件発明のネットワークシステムは極めて有用な産業上の利用可能性を有するものと言える。
【図面の簡単な説明】
【０１４０】
【図１】本発明における実施形態のインターネットシステムの構成の一例を示すブロック図である。
【図２】同実施形態のインターネットシステムの構成の一例を説明するための図である。
【図３】同実施形態の情報処理装置の構成の一例を示すブロック図である。
【図４】同実施形態のセンターデータベースの構成の一例を説明するための図である。
【図５】同実施例の事業者データベースの一例を説明するための図である。
【図６】同実施例の事業者データベースの一例を説明するための図である。
【図７】同実施例の事業者データベースの一例を説明するための図である。
【図８】同実施例のミュージアムでたベースの一例を説明するための図である。
【図９】同実施例の接客者データベースの一例を説明するための図である。
【図１０】同実施例の接客者の入力手段に識別子でマークした際の一連の処理について説明するためのブロック図である。
【図１１】同実施例の接客者からイベントの情報を発信するイベント情報発信手段の一連の処理を説明するためのブロック図である。
【図１２】号実施例の識別子管理センターに識別子所有者がアクセスした際の一連の処理を説明するためのブロック図である。
【図１３】同実施例の動作を示すフローチャートである。
【図１４】同実施例の動作を示すフローチャートである。
【図１５】同実施例に使用されるカード型識別子の一例を示し（Ａ）は平面図、（Ｂ）は裏面図である。
【図１６】同実施例に使用される配布型識別子の一例をしめす平面図である。
【図１７】同実施例の配布型識別子のＩＤで識別子管理センターに最初にアクセスした際の動作を示すフローチャートである。
【図１８】マーク記号の構成を説明するための概念図である。
【図１９】マーク記号から得られる情報の一部を表にした説明図である。
【符号の説明】
【０１４１】１：識別子
２：識別子ＩＤ
２ａ：識別子ＩＤバーコード
３：標章（マーク標章）
５：識別子所有者（生活者）
５ａ：生活者Ａ氏（識別子所有者）
６：生活者端末
７：メインメニュー
１０：マーク記号
２７：ＨＰ・ＵＲＬ
３１：条件（ポイント・グレードなど）
３３：アナログチップ
５０：センターデータベース
５１：事業者データベース
５２：接客者データベース
５３：ミュージアムデータベース
５８：発送物（葉書・雑誌）
６０：情報処理装置
７６：内容
７７：掲示板
１００：ネットワークシステム
１０１：情報網・ＮＥＴ
１０２：Ａグループ
１０３：Ｂグループ
１０４：Ｃグループ
１１０：識別子管理センター
１１１：識別子管理センターＵＲＬ
１３０：事業者
１３０ａ：Ａ事業者
１３０ｂ：Ｂ事業者
１３０ｃ：Ｃ事業者
１３０ｄ：Ｈ美術館
１３１：ホームページ
１３３：コンテンツ名リストボックス
１４０ａ、ｂ、ｃ：接客者
１４０ａ１：接客者「ホテル軽井沢」
１４２：接客者パーソナルページ
１５１：エンターティナー
１６０：ミュージアム
１７０：カード型識別子
１７２：連絡先
１７３：サイン欄
１７４：基材
１７５：カード番号
１７６：カード番号欄
１８０：配布用識別子
１８１：暗証番号表記
１８２：切り取り線
１８３：表題部
１８４：パンフレット部分
１８５：隠蔽部
１９０：Ｅメールサーバ
Ｔ１：統括セクタ
Ｔ２：コンテンツセクタ
Ｔ３：事業者セクタ
Ｔ４：接客セクタ
【図１】
2005098699.tif 000002
【図２】
2005098699.tif 000003
【図３】
2005098699.tif 000004
【図４】
2005098699.tif 000005
【図５】
2005098699.tif 000006
【図６】
2005098699.tif 000007
【図７】
2005098699.tif 000008
【図８】
2005098699.tif 000009
【図９】
2005098699.tif 000010
【図１０】
2005098699.tif 000011
【図１１】
2005098699.tif 000012
【図１２】
2005098699.tif 000013
【図１３】
2005098699.tif 000014
【図１４】
2005098699.tif 000015
【図１５】
2005098699.tif 000016
【図１６】
2005098699.tif 000017
【図１７】
2005098699.tif 000018
【図１８】
2005098699.tif 000019
【図１９】
2005098699.tif 000020
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
生活者が管理する生活者端末と、
接客者が管理する情報処理装置Ｃと、
事業者が管理する情報処理装置Ｂと、
識別子管理センターに設けられた情報処理装置Ａと、
前記情報処理装置Ｃに接続された前記識別子ＩＤが入力される入力手段と、
前記接客者を特定する記号と、
前記生活者が所有する識別子と、
前記識別子を特定する識別子ＩＤと、
前記接客者の紹介情報を記録したコンテンツファイルと、
前記コンテンツファイルを記憶する情報処理装置Ｂ若しくは情報処理装置Ｃの記憶手段と、
前記コンテンツファイルの情報網における住所であるコンテンツファイルＵＲＬと、
前記識別子ＩＤと前記接客者を特定する記号を関連付けて記憶する記憶手段と、
前記接客者を特定する記号と前記コンテンツファイルＵＲＬとを関連付けして記憶する記憶手段と、
前記コンテンツファイルへのリンクが割り振られたボタンを有するリストボックスと、
複数の前記情報処理装置Ｃと情報網を介して接続可能なグループを形成する前記情報処理装置Ｂと、
複数の前記情報処理装置Ｂに情報網を介して接続可能な前記情報処理装置Ａとを備えたネットワークシステムにおいて、
前記生活者が自ら所有する前記識別子の識別子ＩＤを前記接客者が管理する情報処理装置Ｃの入力手段に読み取らせた後に、この識別子ＩＤに当該接客者を特定する記号を関連付けして記憶手段に記憶するステップと、
前記生活者端末と前記情報処理装置Ａとが接続された後に、前記生活者が所有する識別子ＩＤが前記生活者端末から前記情報処理装置Ａに送信されて認証されると、当該識別子ＩＤに関連付けて記憶された前記接客者を特定する記号に応じて変化する前記リストボックッスを前記生活者端末に表示して当該生活者に対して入力を促すステップと、
前記生活者によって前記生活者端末に表示された前記リストボックスのボタンがクリックされると、前記接客者の紹介情報を記録したコンテンツファイルの情報を前記生活者端末に表示させるステップを備えたことを特徴とする識別子ＩＤ毎に異なる情報の供給方法。
【請求項２】
前記情報処理装置Ａが、
前記接客者を特定する記号に関連付けされたカテゴリー名と、
前記リストボックスのボタンに前記カテゴリー名を表示する表示手段を備えていることを特徴とする請求項１に記載の識別子ＩＤ毎に異なる情報の供給方法。
【請求項３】
前記コンテンツファイルに事業者のホームページが含まれていることを特徴とする請求項１に記載の識別子ＩＤ毎に異なる情報の供給方法。
【請求項４】
前記コンテンツファイルに前記接客者のＥメールアドレスが含まれていることを特徴とする請求項１に記載の識別子ＩＤ毎に異なる情報の供給方法。
【請求項５】
前記情報処理装置Ｂと、この前記情報処理装置Ｂと接続可能な複数の情報処理装置Ｃからなるグループを複数備え、
前記識別子に設けられた物理的な特徴を備えたアナログチップと、
前記アナログチップの物理的特徴の情報であるアナログチップデータと、
前記情報処理装置Ｃの入力手段でアナログチップを観測して得られたチップ観測データとを有し、
前記情報処理装置Ａは、
前記識別子を特定する識別子ＩＤに関連付けて前記アナログチップデータを記憶する記憶手段と、
前記アナログチップデータと前記チップ観測データとによって当該アナログチップの真贋を判定する真贋判定手段を備え、
前記ネットワークシステムにおいて、前記グループ毎に異なる前記真贋判定手段を設定可能なことを特徴とする請求項１に記載の識別子ＩＤ毎に異なる情報の供給方法。
【請求項６】
前記情報処理装置Ａは、前記生活者端末から送信されてくる前記所有者が所有する識別子ＩＤの権利を暗証番号或いは生体認証によって当該生活者自身を認証する本人認証手段を有し、
前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された前記識別子ＩＤに関連付けられた情報を変更可能なことを特徴とする請求項１に記載の識別子ＩＤ毎に異なる情報の供給方法。
【請求項７】
生活者が管理する生活者端末と、
接客者が管理する情報処理装置Ｃと、
事業者が管理する情報処理装置Ｂと、
識別子管理センターに設けられた情報処理装置Ａと、
前記生活者が所有する識別子と、
前記識別子を特定する識別子ＩＤと、
前記情報処理装置Ｃに接続された前記識別子ＩＤが入力される入力手段と、
複数の前記情報処理装置Ｃと情報網を介して接続してグループを形成する前記情報処理装置Ｂと、
複数の前記情報処理装置Ｂに情報網を介して接続可能な前記情報処理装置Ａとを備えたネットワークシステムにおいて、
前記情報処理装置Ａは、前記識別子ＩＤに関連付けて当該識別子ＩＤの所有者である前記生活者の個人情報を記憶する記憶手段を有し、
情報処理装置Ｃの入力手段が識別子ＩＤを読み取るステップと、
前記情報処理装置Ｃの前記入力手段で読み取られた前記識別子ＩＤを前記情報処理装置Ａに送信するステップと、
前記情報処理装置Ａが転送されてきた前記識別子ＩＤに関連付けされた個人情報を検索するステップと、
前記情報処理装置Ａが検索された前記個人情報を先に識別子ＩＤを送信してきた前記情報処理装置Ｃと同一グループの前記情報処理装置Ｂに送信するステップと、
当該情報処理装置Ｂが前記情報処理装置Ａから送信されてきた前記個人情報を前記識別子ＩＤに関連付けて記憶するステップを備えていることを特徴とする個人情報の登録システム。
【請求項８】
請求項７に記載の個人情報の登録システムを備えたネットワークシステムにおいて、
前記接客者が企画するイベントの内容が記録されたイベント情報と、
互いに関連付けされた前記識別子ＩＤと前記イベント情報とを当該情報処理装置Ｃから前記情報処理装置Ｂに送信するステップと、
当該情報処理装置Ｂが前記送信されてきた前記識別子ＩＤに係る個人情報を検索し、この検索された個人情報に基づいて前記イベント情報を発信することを特徴とするイベント情報発信手段。
【請求項９】
前記情報処理装置Ａは、前記生活者端末から送信されてくる前記所有者が所有する識別子ＩＤの権利を暗証番号或いは生体認証によって当該生活者自身を認証する本人認証手段を有し、
前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された個人情報を変更可能なことを特徴とする請求項７に記載の個人情報の登録システム。
【手続補正２】
【補正対象書類名】明細書
【補正対象項目名】０００７
【補正方法】変更
【補正の内容】
【０００７】
本件第１の発明である識別子ＩＤ毎に異なる情報の供給方法は、
生活者が管理する生活者端末と、接客者が管理する情報処理装置Ｃと、事業者が管理する情報処理装置Ｂと、識別子管理センターに設けられた情報処理装置Ａと、前記情報処理装置Ｃに接続された前記識別子ＩＤが入力される入力手段と、前記接客者を特定する記号と、前記生活者が所有する識別子と、前記識別子を特定する識別子ＩＤと、前記接客者の紹介情報を記録したコンテンツファイルと、前記コンテンツファイルを記憶する情報処理装置Ｂ若しくは情報処理装置Ｃの記憶手段と、前記コンテンツファイルの情報網における住所であるコンテンツファイルＵＲＬと、前記識別子ＩＤと前記接客者を特定する記号を関連付けて記憶する記憶手段と、前記接客者を特定する記号と前記コンテンツファイルＵＲＬとを関連付けして記憶する記憶手段と、前記コンテンツファイルへのリンクが割り振られたボタンを有するリストボックスと、複数の前記情報処理装置Ｃと情報網を介して接続可能なグループを形成する前記情報処理装置Ｂと、複数の前記情報処理装置Ｂに情報網を介して接続可能な前記情報処理装置Ａとを備えたネットワークシステムにおいて、
前記生活者が自ら所有する前記識別子の識別子ＩＤを前記接客者が管理する情報処理装置Ｃの入力手段に読み取らせた後に、この識別子ＩＤに当該接客者を特定する記号を関連付けして記憶手段に記憶するステップと、前記生活者端末と前記情報処理装置Ａとが接続された後に、前記生活者が所有する識別子ＩＤが前記生活者端末から前記情報処理装置Ａに送信されて認証されると、当該識別子ＩＤに関連付けて記憶された前記接客者を特定する記号に応じて変化する前記リストボックッスを前記生活者端末に表示して当該生活者に対して入力を促すステップと、
前記生活者によって前記生活者端末に表示された前記リストボックスのボタンがクリックされると、前記接客者の紹介情報を記録したコンテンツファイルの情報を前記生活者端末に表示させるステップを備える。
【手続補正３】
【補正対象書類名】明細書
【補正対象項目名】０００８
【補正方法】変更
【補正の内容】
【０００８】
本件第２の発明は、第１の発明において、前記情報処理装置Ａが、前記接客者を特定する記号に関連付けされたカテゴリー名と、前記リストボックスのボタンに前記カテゴリー名を表示する表示手段を備えている。
本件第３の発明は、第１の発明において、前記コンテンツファイルに事業者のホームページが含まれていることを特徴とする請求項１に記載の識別子ＩＤ毎に異なる情報の供給方法。
【手続補正４】
【補正対象書類名】明細書
【補正対象項目名】０００９
【補正方法】変更
【補正の内容】
【０００９】
本件第４の発明は、第１の発明において、前記コンテンツファイルに前記接客者のＥメールアドレスが含まれている。
【手続補正５】
【補正対象書類名】明細書
【補正対象項目名】００１１
【補正方法】変更
【補正の内容】
【００１１】
本件第６の発明は、第１の発明において、前記情報処理装置Ａは、前記生活者端末から送信されてくる前記所有者が所有する識別子ＩＤの権利を暗証番号或いは生体認証によって当該生活者自身を認証する本人認証手段を有し、前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された前記識別子ＩＤに関連付けられた情報を変更可能とした。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本件第７の発明における個人情報の登録システムは、生活者が管理する生活者端末と、接客者が管理する情報処理装置Ｃと、事業者が管理する情報処理装置Ｂと、
識別子管理センターに設けられた情報処理装置Ａと、前記生活者が所有する識別子と、前記識別子を特定する識別子ＩＤと、前記情報処理装置Ｃに接続された前記識別子ＩＤが入力される入力手段と、複数の前記情報処理装置Ｃと情報網を介して接続してグループを形成する前記情報処理装置Ｂと、複数の前記情報処理装置Ｂに情報網を介して接続可能な前記情報処理装置Ａとを備えたネットワークシステムにおいて、前記情報処理装置Ａは、前記識別子ＩＤに関連付けて当該識別子ＩＤの所有者である前記生活者の個人情報を記憶する記憶手段を有し、情報処理装置Ｃの入力手段が識別子ＩＤを読み取るステップと、前記情報処理装置Ｃの前記入力手段で読み取られた前記識別子ＩＤを前記情報処理装置Ａに送信するステップと、前記情報処理装置Ａが転送されてきた前記識別子ＩＤに関連付けされた個人情報を検索するステップと、前記情報処理装置Ａが検索された前記個人情報を先に識別子ＩＤを送信してきた前記情報処理装置Ｃと同一グループの前記情報処理装置Ｂに送信するステップと、当該情報処理装置Ｂが前記情報処理装置Ａから送信されてきた前記個人情報を前記識別子ＩＤに関連付けて記憶するステップを備えているとした。
【手続補正９】
【補正対象書類名】明細書
【補正対象項目名】００１５
【補正方法】変更
【補正の内容】
【００１５】
本件第８の発明におけるイベント情報発信手段は、本件第７の発明に記載の個人情報の登録システムを備えたネットワークシステムにおいて、前記接客者が企画するイベントの内容が記録されたイベント情報と、互いに関連付けされた前記識別子ＩＤと前記イベント情報とを当該情報処理装置Ｃから前記情報処理装置Ｂに送信するステップと、当該情報処理装置Ｂが前記送信されてきた前記識別子ＩＤに係る個人情報を検索し、この検索された個人情報に基づいて前記イベント情報を発信するとした。
【手続補正１０】
【補正対象書類名】明細書
【補正対象項目名】００１６
【補正方法】変更
【補正の内容】
【００１６】
本件第９の発明は、本件第７の発明に記載の個人情報の登録システムにおいて、  前記情報処理装置Ａは、前記生活者端末から送信されてくる前記所有者が所有する識別子ＩＤの権利を暗証番号或いは生体認証によって当該生活者自身を認証する本人認証手段を有し、
前記本人認証手段で認証されると、前記生活者端末によって前記情報処理装置Ａを介して任意の前記情報処理装置Ｂにリンクを確立するシングルサインオンの機能を有すると共に、前記情報処理装置Ａに記憶された個人情報を変更可能とした。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００３１
【補正方法】変更
【補正の内容】
【００３１】
第４の発明において接客者に係る情報を記録したコンテンツファイルに接客者のＥメールアドレスを含ませると、このコンテンツファイルを閲覧した生活者が接客者に直接Ｅメールを送信することを可能とする。
【手続補正２１】
【補正対象書類名】明細書
【補正対象項目名】００３２
【補正方法】変更
【補正の内容】
【００３２】
また、本件第７の発明においては、接客者の入力手段が識別子ＩＤを読み取ると、情報処理装置Ｂに識別子ＩＤを記憶させるとともに、情報処理装置Ａに識別子ＩＤを送信し、情報処理装置Ａでは送信されてきた識別子ＩＤに関連付けされた個人情報を検索して情報処理装置Ｂに送信し、情報処理装置Ｂはこの個人情報を記憶する。このように構成されているので、入力手段に識別子ＩＤを読み取らせる際に生活者が個人情報を登録しなくとも、接客者とこの接客者を管理する事業者は識別子所有者の個人情報を得ることがでる。
このことは、本件第８の発明において、情報処理装置Ｃにイベント情報を入力し、そのイベント情報と識別子ＩＤとを情報処理装置Ｂに送信すると、情報処理装置Ｂは識別子ＩＤの個人情報を検索して、この個人情報に基づいてイベント情報を発信することを可能とする。このように構成されているので、接客者が生活者の個人情報のデータを管理しなくても、必要に応じてイベント情報と識別子ＩＤを事業者に送信すると、事業者が生活者に情報を発信することが出来る。言い換えれば、接客者の生活者に対する情報発信の業務を事業者によって代行することが出来るとともに、接客者は生活者の個人情報を管理することなく生活者に対して情報の発信を行うことができるという優れた効果がえられるのである。
【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
生活者が所有する識別子と、
前記識別子を特定する識別子ＩＤと、
前記生活者が管理する生活者端末と、
接客者が管理する情報処理装置Ｃと、
事業者が管理する情報処理装置Ｂと、
識別子管理センターが管理する情報処理装置Ａと、
実空間において前記識別子ＩＤが入力される前記情報処理装置Ｃに接続された入力手段と、
前記事業者のホームページと、
前記事業者の事業者名と、
前記ホームページの情報網における住所であるホームページＵＲＬと、
前記ホームページのデータを記憶する情報処理装置Ｂの記憶手段と、
前記情報処理装置Ｂ（事業者）に接続可能な複数の情報処理装置Ｃ（接客者）を有するグループと、
複数の前記グループに情報網を介して接続可能な前記情報処理装置Ａとを備えたネットワークシステムにおいて、
前記情報処理装置Ａは、
実空間の前記入力手段に読み取られた前記識別子ＩＤに関連付けて、この識別子ＩＤを登録した前記入力手段が属するグループにおける前記情報処理装置Ｂを管理する前記事業者の事業者名と、前記事業者のホームページＵＲＬとを検索可能なデータベースを備え、
前記ネットワークシステムは、
実空間において前記生活者が所有する前記識別子ＩＤを前記接客者が管理する情報処理装置Ｃの入力手段に読み取らせた後に、
前記生活者が前記生活者端末で前記情報処理装置Ａにアクセスした際に、当該情報処理装置Ａがこのアクセスの権利の認証を行い、このアクセスに権利があると認められた後に、  実空間において当該生活者が所有する前記識別子ＩＤを読み取った入力手段が属するグループにおける事業者のホームページへのリンクが設定され且つこの事業者の事業者名を表示する項目（ボタン）を有するリストボックスを前記生活者端末に表示し、
前記事業者名を表示する項目が前記生活者によってクリックされると、実空間において前記識別子ＩＤを読み取った入力手段に接続された情報処理装置Ｃを管理する前記接客者とグループを形成している事業者のホームページが生活者端末に表示されることを特徴とする前記生活者の実空間における識別子ＩＤの登録の履歴によって異なる情報の供給方法を有するネットワークシステム。
【請求項２】
生活者が所有する識別子と、
前記識別子を特定する識別子ＩＤと、
前記生活者が管理する生活者端末と、
接客者が管理する情報処理装置Ｃと、
事業者が管理する情報処理装置Ｂと、
識別子管理センターが管理する情報処理装置Ａと、
実空間において前記識別子ＩＤが入力される前記情報処理装置Ｃに接続された入力手段と、
業種を分類するカテゴリーの名称であるカテゴリー名と、
前記接客者に係る情報を記録したコンテンツファイルと、
前記コンテンツファイルの名称であるコンテンツ名称と、
前記コンテンツファイルの情報網における住所であるコンテンツファイルＵＲＬと、
前記コンテンツファイルを記憶する情報処理装置Ｂ若しくは情報処理装置Ｃの記憶手段と、
前記情報処理装置Ｂ（事業者）に接続可能な複数の情報処理装置Ｃ（接客者）を有するグループと、
複数の前記グループに情報網を介して接続可能な前記情報処理装置Ａとを備えたネットワークシステムにおいて、
前記情報処理装置Ａは、
実空間の入力手段で読み取られた前記識別子ＩＤに関連付けて、この識別子ＩＤを読み取った前記入力手段が接続された情報処理装置Ｃを管理する接客者に係るカテゴリー名と、当該接客者に係るコンテンツファイルＵＲＬと、当該接客者に係るコンテンツ名称とを検索可能なデータベースを備え、
前記ネットワークシステムは、
実空間において前記生活者が所有する前記識別子ＩＤを前記接客者が管理する情報処理装置Ｃの入力手段に読み取らせた後に、
前記生活者が前記生活者端末で前記情報処理装置Ａにアクセスした際に、当該情報処理装置Ａがこのアクセスの権利の認証を行い、このアクセスに権利があると認められた後に、当該生活者の所有する前記識別子ＩＤに関連付けされたカテゴリー名を表示する項目（ボタン）を備えたリストボックスを前記生活者端末に表示して当該生活者に対して入力を促すステップと、
前記カテゴリー名を表示する項目がクリックされると、前記情報処理装置Ａは、実空間で前記識別子ＩＤを読み取った入力手段を接続した情報処理装置Ｃを管理する前記接客者に係るコンテンツファイルへのリンクが設定され且つこのコンテンツファイルに係るコンテンツ名称を表示する項目を生活者端末に表示し、
前記生活者端末に表示された前記コンテンツ名称を表示する前記項目を前記生活者がクリックすると、前記情報処理装置Ｂ若しくは前記情報処理装置Ｃに記憶された前記接客者に係るコンテンツファイルの情報を前記生活者端末に表示させることを特徴とする前記生活者の実空間における識別子ＩＤの登録の履歴によって異なる情報の供給方法を有するネットワークシステム。
【請求項３】
前記請求項１若しくは請求項２のいずれかに記載のネットワークシステムにおいて、
前記情報処理装置Ａは、前記識別子ＩＤに関連付けて暗証番号を記憶する記憶手段を備え、
前記生活者が前記生活者端末で前記情報処理装置Ａにアクセスした際に、
当該情報処理装置Ａは、このアクセスの権利の認証を行い、このアクセスに権利が無いとされた際に、
前記識別子ＩＤとこの識別子ＩＤに関連付けされた前記暗証番号の入力を催促するステップを有し、前記ステップで入力された前記識別子ＩＤと前記暗証番号が認証されると、前記情報処理装置Ａに前記生活者端末がログオンできることを特徴とする請求項１若しくは請求項２のいずれかに記載の前記生活者の実空間における識別子ＩＤの登録の履歴によって異なる情報の供給方法を有するネットワークシステム。
【請求項４】
請求項１乃至請求項３のいずれかに記載のネットワークシステムにおいて、
前記情報処理装置Ｂと、この前記情報処理装置Ｂと接続可能な複数の情報処理装置Ｃからなるグループを複数備え、
前記識別子に設けられた物理的な特徴を備えたアナログチップと、
前記アナログチップの物理的特徴の情報であるアナログチップデータと、
前記情報処理装置Ｃの入力手段でアナログチップを観測して得られたチップ観測データとを有し、
前記情報処理装置Ａは、
前記識別子を特定する識別子ＩＤに関連付けて前記アナログチップデータを記憶する記憶手段と、
前記アナログチップデータと前記チップ観測データとによって当該アナログチップの真贋を判定する真贋判定手段を備え、
前記グループ毎に異なる前記真贋判定手段を設定可能なことを特徴とする請求項１乃至請求項３のいずれかに記載の前記生活者の実空間における識別子ＩＤの登録の履歴によって異なる情報の供給方法を有するネットワークシステム。
【請求項５】
生活者が管理する生活者端末と、
接客者が管理する情報処理装置Ｃと、
事業者が管理する情報処理装置Ｂと、
識別子管理センターが管理する情報処理装置Ａと、
前記生活者が所有する識別子と、
前記識別子を特定する識別子ＩＤと、
実空間において前記情報処理装置Ｃに接続された前記識別子ＩＤが入力される入力手段と、
複数の前記情報処理装置Ｃと情報網を介して接続してグループを形成する前記情報処理装置Ｂと、
複数の前記グループの情報処理装置Ｂに情報網を介して接続可能な前記情報処理装置Ａとを備えたネットワークシステムにおいて、
前記情報処理装置Ａは、
前記識別子ＩＤに関連付けて当該識別子ＩＤの所有者である前記生活者の個人情報を記憶する記憶手段を有し、
前記ネットワークシステムは、
情報処理装置Ｃの入力手段が識別子ＩＤを読み取るステップと、
前記情報処理装置Ｃが同一グループの情報処理装置Ｂに前記入力手段で読み取られた識別子ＩＤを送信するステップと、
前記情報処理装置Ｃから送信されてきた前記識別子ＩＤを前記情報処理装置Ｂが前記情報処理装置Ａに転送するステップと、
前記情報処理装置Ａが転送されてきた前記識別子ＩＤに関連付けされた個人情報を検索するステップと、
前記情報処理装置Ａが検索された前記個人情報を先に識別子を送信してきた前記情報処理装置Ｂに送信するステップと、
当該情報処理装置Ｂが前記情報処理装置Ａから送信されてきた前記個人情報を前記識別子ＩＤに関連付けて記憶するステップを有する個人情報の登録システムを備えたことを特徴とする請求項１乃至請求項３のいずれかに記載の前記生活者の実空間における識別子ＩＤの登録の履歴によって異なる情報の供給方法を有するネットワークシステム。
【請求項６】
請求項１乃至請求項５のいずれかに記載の前記ネットワークシステムにおいて、
前記識別子ＩＤに関連付けて当該識別子ＩＤの所有者である前記生活者の個人情報を記憶する前記情報処理装置Ｂの記憶手段と、
前記接客者が企画するイベントの内容が記録されたイベント情報とを備え、
互いに関連付けされた前記識別子ＩＤと前記イベント情報とを当該情報処理装置Ｃから前記情報処理装置Ｂに送信するステップと、
当該情報処理装置Ｂが前記送信されてきた前記識別子ＩＤに係る個人情報を検索し、この検索された個人情報に基づいて前記イベント情報を発信するイベント情報発信手段を備えたことを特徴とする請求項１乃至請求項５のいずれかに記載の前記生活者の実空間における識別子ＩＤの登録の履歴によって異なる情報の供給方法を有するネットワークシステム。
【請求項７】
前記識別子ＩＤからこの識別子ＩＤが実空間で登録した接客者若しくは事業者を検索できるデータベースを備えたことを特徴とする請求項１乃至請求項６のいずれかに記載の前記生活者の実空間における識別子ＩＤの登録の履歴によって異なる情報の供給方法を有するネットワークシステムにおける情報処理装置Ａ。
【請求項８】
前記接客者に係るコンテンツファイルを記憶する記憶手段を備えたことを特徴とする請求項１乃至請求項６のいずれかに記載の前記生活者の実空間における識別子ＩＤの登録の履歴によって異なる情報の供給方法を有するネットワークシステムにおける情報処理装置Ｂ。
【請求項９】
請求項１乃至請求項５のいずれかに記載の前記生活者の実空間における識別子ＩＤの登録の履歴によって異なる情報の供給方法を有するネットワークシステムにおいて、
前記情報処理装置Ｃに接続される前記識別子の識別子ＩＤを読み取るためのリーダ。
【手続補正２】
【補正対象書類名】明細書
【補正対象項目名】０００７
【補正方法】変更
【補正の内容】
【０００７】
本件第１の発明は、生活者が所有する識別子と、前記識別子を特定する識別子ＩＤと、前記生活者が管理する生活者端末と、接客者が管理する情報処理装置Ｃと、事業者が管理する情報処理装置Ｂと、識別子管理センターが管理する情報処理装置Ａと、実空間において前記識別子ＩＤが入力される前記情報処理装置Ｃに接続された入力手段と、前記事業者のホームページと、前記事業者の事業者名と、前記ホームページの情報網における住所であるホームページＵＲＬと、前記ホームページのデータを記憶する情報処理装置Ｂの記憶手段と、前記情報処理装置Ｂ（事業者）に接続可能な複数の情報処理装置Ｃ（接客者）を有するグループと、複数の前記グループに情報網を介して接続可能な前記情報処理装置Ａとを備えたネットワークシステムにおいて、
前記情報処理装置Ａは、
実空間の前記入力手段に読み取られた前記識別子ＩＤに関連付けて、この識別子ＩＤを登録した前記入力手段が属するグループにおける前記情報処理装置Ｂを管理する前記事業者の事業者名と、前記事業者のホームページＵＲＬとを検索可能なデータベースを備え、
前記ネットワークシステムは、
実空間において前記生活者が所有する前記識別子ＩＤを前記接客者が管理する情報処理装置Ｃの入力手段に読み取らせた後に、前記生活者が前記生活者端末で前記情報処理装置Ａにアクセスした際に、当該情報処理装置Ａがこのアクセスの権利の認証を行い、このアクセスに権利があると認められた後に、実空間において当該生活者が所有する前記識別子ＩＤを読み取った入力手段が属するグループにおける事業者のホームページへのリンクが設定され且つこの事業者の事業者名を表示する項目（ボタン）を有するリストボックスを前記生活者端末に表示し、前記事業者名を表示する項目が前記生活者によってクリックされると、実空間において前記識別子ＩＤを読み取った入力手段に接続された情報処理装置Ｃを管理する前記接客者とグループを形成している事業者のホームページが生活者端末に表示されることを特徴とする前記生活者の実空間における識別子ＩＤの登録の履歴によって異なる情報の供給方法を有するネットワークシステムとした
【手続補正３】
【補正対象書類名】明細書
【補正対象項目名】０００８
【補正方法】変更
【補正の内容】
【０００８】
本件第２の発明は、生活者が所有する識別子と、前記識別子を特定する識別子ＩＤと、前記生活者が管理する生活者端末と、接客者が管理する情報処理装置Ｃと、事業者が管理する情報処理装置Ｂと、識別子管理センターが管理する情報処理装置Ａと、実空間において前記識別子ＩＤが入力される前記情報処理装置Ｃに接続された入力手段と、業種を分類するカテゴリーの名称であるカテゴリー名と、前記接客者に係る情報を記録したコンテンツファイルと、前記コンテンツファイルの名称であるコンテンツ名称と、前記コンテンツファイルの情報網における住所であるコンテンツファイルＵＲＬと、前記コンテンツファイルを記憶する情報処理装置Ｂ若しくは情報処理装置Ｃの記憶手段と、前記情報処理装置Ｂ（事業者）に接続可能な複数の情報処理装置Ｃ（接客者）を有するグループと、複数の前記グループに情報網を介して接続可能な前記情報処理装置Ａとを備えたネットワークシステムにおいて、
前記情報処理装置Ａは、
実空間の入力手段で読み取られた前記識別子ＩＤに関連付けて、この識別子ＩＤを読み取った前記入力手段が接続された情報処理装置Ｃを管理する接客者に係るカテゴリー名と、当該接客者に係るコンテンツファイルＵＲＬと、当該接客者に係るコンテンツ名称とを検索可能なデータベースを備え、
前記ネットワークシステムは、
実空間において前記生活者が所有する前記識別子ＩＤを前記接客者が管理する情報処理装置Ｃの入力手段に読み取らせた後に、前記生活者が前記生活者端末で前記情報処理装置Ａにアクセスした際に、当該情報処理装置Ａがこのアクセスの権利の認証を行い、このアクセスに権利があると認められた後に、当該生活者の所有する前記識別子ＩＤに関連付けされたカテゴリー名を表示する項目（ボタン）を備えたリストボックスを前記生活者端末に表示して当該生活者に対して入力を促すステップと、前記カテゴリー名を表示する項目がクリックされると、前記情報処理装置Ａは、実空間で前記識別子ＩＤを読み取った入力手段を接続した情報処理装置Ｃを管理する前記接客者に係るコンテンツファイルへのリンクが設定され且つこのコンテンツファイルに係るコンテンツ名称を表示する項目を生活者端末に表示し、前記生活者端末に表示された前記コンテンツ名称を表示する前記項目を前記生活者がクリックすると、前記情報処理装置Ｂ若しくは前記情報処理装置Ｃに記憶された前記接客者に係るコンテンツファイルの情報を前記生活者端末に表示させることを特徴とする前記生活者の実空間における識別子ＩＤの登録の履歴によって異なる情報の供給方法を有するネットワークシステムとした。
【手続補正４】
【補正対象書類名】明細書
【補正対象項目名】０００９
【補正方法】変更
【補正の内容】
【０００９】
本件第３の発明は、前記第１の発明若しくは第２の発明のいずれかに記載のネットワークシステムにおいて、
前記情報処理装置Ａは、前記識別子ＩＤに関連付けて暗証番号を記憶する記憶手段を備え、前記生活者が前記生活者端末で前記情報処理装置Ａにアクセスした際に、当該情報処理装置Ａは、このアクセスの権利の認証を行い、このアクセスに権利が無いとされた際に、前記識別子ＩＤとこの識別子ＩＤに関連付けされた前記暗証番号の入力を催促するステップを有し、前記ステップで入力された前記識別子ＩＤと前記暗証番号が認証されると、前記情報処理装置Ａに前記生活者端末がログオンできることを特徴とする第１の発明若しくは第２の発明のいずれかに記載の前記生活者の実空間における識別子ＩＤの登録の履歴によって異なる情報の供給方法を有するネットワークシステムとした。
【手続補正５】
【補正対象書類名】明細書
【補正対象項目名】００１０
【補正方法】変更
【補正の内容】
【００１０】
本件第４の発明は、第１の発明乃至第３の発明のいずれかに記載のネットワークシステムにおいて、前記情報処理装置Ｂと、この前記情報処理装置Ｂと接続可能な複数の情報処理装置Ｃからなるグループを複数備え、前記識別子に設けられた物理的な特徴を備えたアナログチップと、前記アナログチップの物理的特徴の情報であるアナログチップデータと、前記情報処理装置Ｃの入力手段でアナログチップを観測して得られたチップ観測データとを有し、前記情報処理装置Ａは、前記識別子を特定する識別子ＩＤに関連付けて前記アナログチップデータを記憶する記憶手段と、前記アナログチップデータと前記チップ観測データとによって当該アナログチップの真贋を判定する真贋判定手段を備え、前記グループ毎に異なる前記真贋判定手段を設定可能なことを特徴とする第１の発明乃至第３の発明のいずれかに記載の前記生活者の実空間における識別子ＩＤの登録の履歴によって異なる情報の供給方法を有するネットワークシステムとした。
【手続補正６】
【補正対象書類名】明細書
【補正対象項目名】００１１
【補正方法】削除
【補正の内容】
【手続補正７】
【補正対象書類名】明細書
【補正対象項目名】００１４
【補正方法】変更
【補正の内容】
【００１４】
本件第５の発明は、生活者が管理する生活者端末と、接客者が管理する情報処理装置Ｃと、事業者が管理する情報処理装置Ｂと、識別子管理センターが管理する情報処理装置Ａと、
前記生活者が所有する識別子と、前記識別子を特定する識別子ＩＤと、実空間において前記情報処理装置Ｃに接続された前記識別子ＩＤが入力される入力手段と、複数の前記情報処理装置Ｃと情報網を介して接続してグループを形成する前記情報処理装置Ｂと、複数の前記グループの情報処理装置Ｂに情報網を介して接続可能な前記情報処理装置Ａとを備えたネットワークシステムにおいて、前記情報処理装置Ａは、前記識別子ＩＤに関連付けて当該識別子ＩＤの所有者である前記生活者の個人情報を記憶する記憶手段を有し、前記ネットワークシステムは、情報処理装置Ｃの入力手段が識別子ＩＤを読み取るステップと、前記情報処理装置Ｃが同一グループの情報処理装置Ｂに前記入力手段で読み取られた識別子ＩＤを送信するステップと、前記情報処理装置Ｃから送信されてきた前記識別子ＩＤを前記情報処理装置Ｂが前記情報処理装置Ａに転送するステップと、前記情報処理装置Ａが転送されてきた前記識別子ＩＤに関連付けされた個人情報を検索するステップと、前記情報処理装置Ａが検索された前記個人情報を先に識別子を送信してきた前記情報処理装置Ｂに送信するステップと、当該情報処理装置Ｂが前記情報処理装置Ａから送信されてきた前記個人情報を前記識別子ＩＤに関連付けて記憶するステップを有する個人情報の登録システムを備えたことを特徴とする第１の発明乃至第３の発明のいずれかに記載の前記生活者の実空間における識別子ＩＤの登録の履歴によって異なる情報の供給方法を有するネットワークシステムとした。
【手続補正８】
【補正対象書類名】明細書
【補正対象項目名】００１５
【補正方法】変更
【補正の内容】
【００１５】
本件第６の発明のネットワークシステムは、第１の発明乃至第５の発明のいずれかに記載の前記ネットワークシステムにおいて、前記識別子ＩＤに関連付けて当該識別子ＩＤの所有者である前記生活者の個人情報を記憶する前記情報処理装置Ｂの記憶手段と、前記接客者が企画するイベントの内容が記録されたイベント情報とを備え、互いに関連付けされた前記識別子ＩＤと前記イベント情報とを当該情報処理装置Ｃから前記情報処理装置Ｂに送信するステップと、当該情報処理装置Ｂが前記送信されてきた前記識別子ＩＤに係る個人情報を検索し、この検索された個人情報に基づいて前記イベント情報を発信するイベント情報発信手段を備えたことを特徴とする第１の発明乃至第５の発明のいずれかに記載の前記生活者の実空間における識別子ＩＤの登録の履歴によって異なる情報の供給方法を有するネットワークシステムとした。
【手続補正９】
【補正対象書類名】明細書
【補正対象項目名】００１６
【補正方法】変更
【補正の内容】
【００１６】
本件第７の発明では、前記識別子ＩＤからこの識別子ＩＤが実空間で登録した接客者若しくは事業者を検索できるデータベースを備えたことを特徴とする第１の発明乃至第６の発明のいずれかに記載の前記生活者の実空間における識別子ＩＤの登録の履歴によって異なる情報の供給方法を有するネットワークシステムにおける情報処理装置Ａとした。
本件第８の発明では、前記接客者に係るコンテンツファイルを記憶する記憶手段を備えたことを特徴とする第１の発明乃至第６の発明のいずれかに記載の前記生活者の実空間における識別子ＩＤの登録の履歴によって異なる情報の供給方法を有するネットワークシステムにおける情報処理装置Ｂとした。
本件第９の発明では、第１の発明乃至第６の発明のいずれかに記載の前記生活者の実空間における識別子ＩＤの登録の履歴によって異なる情報の供給方法を有するネットワークシステムにおいて、前記情報処理装置Ｃに接続される前記識別子の識別子ＩＤを読み取るためのリーダとした。
【手続補正１０】
【補正対象書類名】明細書
【補正対象項目名】００２７
【補正方法】変更
【補正の内容】
【００２７】
他方、識別子所有者に商品の販売やイベント等のサービスを提供する接客者と、接客者を紹介するコンテンツファイルを管理する事業者と、識別子ＩＤを管理する識別子管理センターとを備え、これらがそれぞれ異なる役割を持ったネットワークシステムが構築出来るという優れた効果がある。
まず生活者は、買い物や旅行といった生活の中で識別子の識別子ＩＤを接客者の入力手段に読み取らせることで、実空間に存在する接客者にかかる情報を収集する識別子ＩＤの登録（マーク）を行うと、コンテンツファイルＵＲＬ若しくは後述のマーク記号が、自然と蓄積され、この蓄積されたマーク記号等の記録によって、情報処理装置Ｂ若しくは情報処理装置Ｃに記憶されたコンテンツファイルに情報網を介してアクセスすることが可能となる。
次に、接客者は、自らにかかる情報を記録したコンテンツファイルを事業者が管理してくれるので、例えば接客者が陶芸家や、農家などの実業を営む場合にはコンテンツファイルを管理するという労力をかけることなく、容易にネットワークシステムに参加して生活者に情報を発信することができるという効果がある。
また、事業者は、接客者のコンテンツファイルを管理するので、管理の対価を接客者から徴収することを可能とする。
【手続補正１１】
【補正対象書類名】明細書
【補正対象項目名】００２８
【補正方法】変更
【補正の内容】
【００２８】
一方、識別子管理センターは、生活者が識別子ＩＤを読み取らせた接客者の情報をみたいときには、識別子管理センターの情報処理装置Ａにアクセスする必要が生じるので、識別子管理センターはポータルサイトを運営することが可能となる。
このポータルサイト（メインメニュー）は、実空間で識別子ＩＤによって収集された、事業者を特定する記号・接客者を特定する記号・入力手段を特定する記号よって表示される内容が異なる。
この本件発明の生活者端末に表示されるポータルサイト（メインメニュー）は、識別子ＩＤを接客者に読み取らせた行動の履歴（自分史）となる。このことは、生活者が本件発明のネットワークシステムへ参加する参加率の向上をもたらすという効果が期待できる。  
【手続補正１２】
【補正対象書類名】明細書
【補正対象項目名】００３０
【補正方法】変更
【補正の内容】
【００３０】
更に、本件第４の発明においては、識別子に物理的な特徴を備えたアナログチップを設け、グループ毎に異なる真贋判定手段を設定すると、ネットワークに情報を送信した際に盗聴などの不法行為が為されても、各グループで真贋判定手段が異なるので、真贋判定手段が異なるグループ間では、あるグループで情報の盗聴などの犯罪が行われても、他のグループにおいては盗聴された情報が悪用されることがないので「なりすまし」等の犯罪を防止することが可能となる。
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】変更
【補正の内容】
【００３２】
また、本件第５の発明においては、接客者の入力手段が識別子ＩＤを読み取ると、情報処理装置Ｂから情報処理装置Ａに識別子ＩＤを転送し、情報処理装置Ａでは送信されてきた識別子ＩＤに関連付けされた個人情報を検索して情報処理装置Ｂに送信し、情報処理装置Ｂはこの個人情報を記憶する。このように構成されているので、入力手段に識別子ＩＤを読み取らせる際に生活者が個人情報を登録しなくとも、情報処理装置Ａに生活者の個人情報が記憶されていれば接客者を管理する事業者は識別子所有者の個人情報を得ることができる。
本件第６の発明においては、情報処理装置Ｃにイベント情報を入力し、そのイベント情報と識別子ＩＤとを情報処理装置Ｂに送信すると、情報処理装置Ｂは識別子ＩＤの個人情報を検索して、この個人情報に基づいてイベント情報を発信することを可能とする。このように構成されているので、接客者が生活者の個人情報のデータを管理しなくても、必要に応じてイベント情報と識別子ＩＤを接客者が事業者に送信すると、事業者が生活者に情報を発信することが出来る。言い換えれば、接客者の生活者に対する情報発信の業務を事業者によって代行することが出来るとともに、接客者は生活者の個人情報を管理することなく生活者に対して情報の発信を行うことができるという優れた効果がえられるのである。
【手続補正１５】
【補正対象書類名】明細書
【補正対象項目名】００３３
【補正方法】変更
【補正の内容】
【００３３】
本発明は、実空間において、識別子所有者が識別子によってマークを行った際に、識別子ＩＤ毎に異なるパーソナルサイト（メインメニュー）においてその履歴を容易に確認できると共に、その履歴を残した事業者及び接客者からの情報の提供が受けられる実空間における識別子ＩＤの登録の履歴によって異なる情報の供給方法を有するネットワークシステムである。
【手続補正１６】
【補正対象書類名】明細書
【補正対象項目名】００３４
【補正方法】変更
【補正の内容】
【００３４】
用語の説明
情報処理装置Ａとは、識別子管理センターが管理する情報処理装置である。
情報処理装置Ｂとは、事業者が管理する情報処理装置である。
情報処理装置Ｃとは、接客者が管理する情報処理装置である。
識別子とは、個人の特定に利用可能な、ＩＣカード、携帯電話等の装置、特願２００３−２８０８１７号及び特願２００３−４０８７６３号に記載のアナログチップを備えたＩＤカード等の総称である。
識別子ＩＤとは、識別子を特定するための情報である。
マークとは、入力手段に識別子ＩＤが入力されることを言う。
マーク記号とは、マークされた接客者・事業者或いは入力手段等を特定するための情報を含む記号を言う。
マーク記号の履歴情報とは、マークした際にその都度付与された複数のマーク記号の集積を言う。
ＵＲＬ（Uniform Resource Locator）とは、インターネット上におけるＷＥＢページやファイルの固有の住所である。
コンテンツファイルとは、接客者に係る紹介情報、コンサート、展覧会等のイベントの紹介情報、及び、音楽ＣＤ、ビデオ、ＤＶＤ等の著作物が記録されたメディアの紹介情報等を記録したファイルである。
【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
生活者が所有する識別子と、
前記識別子を特定する識別子ＩＤと、
複数の接客者が管理するそれぞれの情報処理装置Ｃと、
前記接客者の紹介情報であるコンテンツファイルを記憶する記憶手段と、記憶されたコンテンツファイルを更新する入力手段を有する複数の事業者が管理するそれぞれの情報処理装置Ｂと、
識別子管理センターが管理する情報処理装置Ａと、
情報処理装置Ａにアクセスした生活者端末に情報処理装置Ｂの記憶手段に記憶されたホームページを表示させる手段を有する、
複数の情報処理装置Ｃと複数の情報処理装置Ｂと情報処理装置Ａとを有するネットワークシステムであって、
前記ネットワークシステムは、
実空間において生活者が所有する前記識別子ＩＤを読み取る接客者の情報処理装置Ｃの入力手段と、
前記情報処理装置Ｃの入力手段で読み取られた識別子ＩＤにこの入力手段を管理する前記接客者を特定する情報を含む記号を関連付けて情報処理装置Ｂの記憶手段に蓄積して記憶させる記憶手段と、
前記記憶手段に蓄積して記憶された前記接客者を特定する情報を含む記号に関連付けされたコンテンツ名称を表示するコンテンツ名リストボックスを備えた事業者ホームページを出力する情報処理装置Ｂの制御手段と、
前記情報処理装置Ｃの入力手段で読み取られた識別子ＩＤに前記事業者を特定する情報を含む記号を関連付けて情報処理装置Ａの記憶手段に記憶する手段と、
情報処理装置Ａの制御手段が、アクセスを受けた生活者端末からの前記識別子ＩＤを受信すると、この識別子ＩＤに関連付けされた前記事業者を特定する情報を含む記号によってデータベースから事業者をリストアップしたリストボックスを有するメインメニューを前記生活者端末に表示させ、このリストボックスの事業者に係るボタンがクリックされると当該事業者が管理する情報処理装置Ｂに接続する手段と、
前記接続された情報処理装置Ｂの制御手段は、当該識別子ＩＤに関連付けされた前記接客者を特定する情報を含む記号によって表示される前記コンテンツ名リストボックスを備えた事業者ホームページを前記生活者端末に表示させる手段と、
このコンテンツ名リストボックスのボタンがクリックされると当該コンテンツファイルを生活者端末に表示させる手段を有することを特徴とする情報処理装置によるネットワークシステム。
【請求項２】
生活者が所有する識別子と、
前記識別子を特定する識別子ＩＤと、
前記生活者の生活者端末と、
複数の接客者が管理するそれぞれの情報処理装置Ｃと、
前記接客者の紹介情報であるコンテンツファイルを記憶する手段及び事業者ホームページを記憶する手段を有すると共に当該コンテンツファイル及び事業者ホームページを更新する入力手段を有する複数の事業者が管理するそれぞれの情報処理装置Ｂと、
前記事業者と接客者を特定する情報を含む記号と、
前記コンテンツファイルの情報網における住所であるコンテンツファイルＵＲＬと、
識別子管理センターが管理する情報処理装置Ａと、
情報処理装置Ａにアクセスした生活者端末に情報処理装置Ｂの記憶手段に記憶された事業者ホームページ若しくはコンテンツファイルを表示させる手段を有する、
複数の情報処理装置Ｃと複数の情報処理装置Ｂと情報処理装置Ａとを有するネットワークシステムであって、
前記ネットワークシステムは、
実空間において生活者が所有する前記識別子ＩＤを読み取る前記情報処理装置Ｃの入力手段と、
前記入力手段で読み取られた識別子ＩＤに前記記号を関連付けて情報処理装置Ａのデータベースに蓄積して記憶する手段と、
この識別子に関連付けられて情報処理装置Ａの前記データベースに蓄積された前記記号によって事業者名をリストアップする手段、及び、コンテンツＵＲＬを収集する手段を有し、
前記情報処理装置Ａが前記生活者端末からのアクセスを受け前記識別子ＩＤを認証すると、前記生活者端末に前記リストアップされた事業者名が記述されたリストボックス、及び、前記収集されたコンテンツＵＲＬのコンテンツ名称が記述されたリストボックスが表示されるメインメニューを表示させ、このリストボックスのボタンがクリックされると情報処理装置Ｂの記憶手段に記憶された事業者ホームページ若しくはコンテンツファイルを前記生活者端末に表示させる手段を有した、前記情報処理装置Ａの制御手段によって生活者端末に前記識別子ＩＤごとに異なる前記メインメニューを表示させる手段を備えたことを特徴とする情報処理装置によるネットワークシステム。
【請求項３】
生活者が所有する識別子と、
前記識別子を特定する識別子ＩＤと、
前記生活者の生活者端末と、
複数の接客者が管理するそれぞれの情報処理装置Ｃと、
複数の事業者が管理するそれぞれの情報処理装置Ｂと、
識別子管理センターが管理する情報処理装置Ａと、
前記情報処理装置Ａに記憶された前記識別子を所有する前記生活者の個人情報を情報処理装置Ｂに登録する手段を有する、
複数の情報処理装置Ｃと複数の情報処理装置Ｂと情報処理装置Ａとを有するネットワークシステムであって、
前記ネットワークシステムは、
実空間において生活者が所有する前記識別子ＩＤを読み取る前記情報処理装置Ｃの入力手段と、
情報処理装置Ｃの入力手段が識別子ＩＤを読み取るステップと、
前記情報処理装置Ｃの制御手段が情報処理装置Ｂに前記入力手段で読み取られた識別子ＩＤを送信するステップと、
前記情報処理装置Ｂの制御手段が前記情報処理装置Ｃから送信されてきた前記識別子ＩＤを前記情報処理装置Ａに転送するステップと、
前記情報処理装置Ａの制御手段が転送されてきた前記識別子ＩＤに関連付けされた個人情報を検索するステップと、
前記情報処理装置Ａの制御手段が検索された前記個人情報を先に識別子を送信してきた前記情報処理装置Ｂに送信するステップと、
当該情報処理装置Ｂの制御手段が前記情報処理装置Ａから送信されてきた前記個人情報を当該識別子ＩＤに関連付けて記憶するステップとを有し、
前記情報処理装置Ｃの入力手段で識別子ＩＤを読み取らせると、情報処理装置Ａの記憶手段に記憶されている前記識別子ＩＤにかかる前記生活者の個人情報を情報処理装置Ｃの記憶手段に記憶させることなく情報処理装置Ｂの記憶手段に記憶させる手段を備えたことを特徴とする情報処理装置によるネットワークシステム。
【請求項４】
請求項１乃至請求項３のいずれかに記載の情報処理装置のネットワークシステムにおいて、
情報処理装置Ｂの制御手段が生活者のメールサーバへＥメールを発信するＥメール発信手段であって、
情報処理装置Ｃの制御手段は、接客者がポイントを条件として入力可能なクエリーと、この条件を満たす識別子ＩＤを検索する手段と、前記検索された識別子ＩＤを情報処理装置Ｂに送信する手段を有し、
情報処理装置Ｂの制御手段は、前記送信されてきた前記識別子ＩＤに係るＥメールアドレスをデータベースから検索し、この検索されたＥメールアドレスに前記Ｅメールを発信するＥメール発信手段を備えたことを特徴とする情報処理装置によるネットワークシステム。
【手続補正２】
【補正対象書類名】明細書
【補正対象項目名】０００５
【補正方法】変更
【補正の内容】
【０００５】
なお、参考までに発明の目的も構成も異なるが、インターネット内に存在する情報を選択することによってＩＣカードの利用者それぞれに専用のパーソナルポータルサイトを提供する、「ＩＣカードを利用した生活者総合支援システムとそれに使用するＩＣカード」が特開２００１−３５７０１９号に提案されている。
【特許文献１】特開２００１−３５７０１９号
【手続補正３】
【補正対象書類名】明細書
【補正対象項目名】０００７
【補正方法】変更
【補正の内容】
【０００７】
本件第１の発明は、生活者が所有する識別子と、前記識別子を特定する識別子ＩＤと、
複数の接客者が管理するそれぞれの情報処理装置Ｃと、前記接客者の紹介情報であるコンテンツファイルを記憶する記憶手段と、記憶されたコンテンツファイルを更新する入力手段を有する複数の事業者が管理するそれぞれの情報処理装置Ｂと、識別子管理センターが管理する情報処理装置Ａと、情報処理装置Ａにアクセスした生活者端末に情報処理装置Ｂの記憶手段に記憶されたホームページを表示させる手段を有する、複数の情報処理装置Ｃと複数の情報処理装置Ｂと情報処理装置Ａとを有するネットワークシステムであって、
前記ネットワークシステムは、実空間において生活者が所有する前記識別子ＩＤを読み取る接客者の情報処理装置Ｃの入力手段と、前記情報処理装置Ｃの入力手段で読み取られた識別子ＩＤにこの入力手段を管理する前記接客者を特定する情報を含む記号を関連付けて情報処理装置Ｂの記憶手段に蓄積して記憶させる記憶手段と、前記記憶手段に蓄積して記憶された前記接客者を特定する情報を含む記号に関連付けされたコンテンツ名称を表示するコンテンツ名リストボックスを備えた事業者ホームページを出力する情報処理装置Ｂの制御手段と、前記情報処理装置Ｃの入力手段で読み取られた識別子ＩＤに前記事業者を特定する情報を含む記号を関連付けて情報処理装置Ａの記憶手段に記憶する手段と、情報処理装置Ａの制御手段が、アクセスを受けた生活者端末からの前記識別子ＩＤを受信すると、この識別子ＩＤに関連付けされた前記事業者を特定する情報を含む記号によってデータベースから事業者をリストアップしたリストボックスを有するメインメニューを前記生活者端末に表示させ、このリストボックスの事業者に係るボタンがクリックされると当該事業者が管理する情報処理装置Ｂに接続する手段と、前記接続された情報処理装置Ｂの制御手段は、当該識別子ＩＤに関連付けされた前記接客者を特定する情報を含む記号によって表示される前記コンテンツ名リストボックスを備えた事業者ホームページを前記生活者端末に表示させる手段と、このコンテンツ名リストボックスのボタンがクリックされると当該コンテンツファイルを生活者端末に表示させる手段を有することを特徴とする情報処理装置によるネットワークシステムとした。
【手続補正４】
【補正対象書類名】明細書
【補正対象項目名】０００８
【補正方法】変更
【補正の内容】
【０００８】
本件第２の発明は、生活者が所有する識別子と、前記識別子を特定する識別子ＩＤと、前記生活者の生活者端末と、複数の接客者が管理するそれぞれの情報処理装置Ｃと、前記接客者の紹介情報であるコンテンツファイルを記憶する手段及び事業者ホームページを記憶する手段を有すると共に当該コンテンツファイル及び事業者ホームページを更新する入力手段を有する複数の事業者が管理するそれぞれの情報処理装置Ｂと、前記事業者と接客者を特定する情報を含む記号と、前記コンテンツファイルの情報網における住所であるコンテンツファイルＵＲＬと、識別子管理センターが管理する情報処理装置Ａと、情報処理装置Ａにアクセスした生活者端末に情報処理装置Ｂの記憶手段に記憶された事業者ホームページ若しくはコンテンツファイルを表示させる手段を有する、複数の情報処理装置Ｃと複数の情報処理装置Ｂと情報処理装置Ａとを有するネットワークシステムであって、
前記ネットワークシステムは、実空間において生活者が所有する前記識別子ＩＤを読み取る前記情報処理装置Ｃの入力手段と、前記入力手段で読み取られた識別子ＩＤに前記記号を関連付けて情報処理装置Ａのデータベースに蓄積して記憶する手段と、この識別子に関連付けられて情報処理装置Ａの前記データベースに蓄積された前記記号によって事業者名をリストアップする手段、及び、コンテンツＵＲＬを収集する手段を有し、前記情報処理装置Ａが前記生活者端末からのアクセスを受け前記識別子ＩＤを認証すると、前記生活者端末に前記リストアップされた事業者名が記述されたリストボックス、及び、前記収集されたコンテンツＵＲＬのコンテンツ名称が記述されたリストボックスが表示されるメインメニューを表示させ、このリストボックスのボタンがクリックされると情報処理装置Ｂの記憶手段に記憶された事業者ホームページ若しくはコンテンツファイルを前記生活者端末に表示させる手段を有した、前記情報処理装置Ａの制御手段によって生活者端末に前記識別子ＩＤごとに異なる前記メインメニューを表示させる手段を備えたことを特徴とする情報処理装置によるネットワークシステムとした。
【手続補正５】
【補正対象書類名】明細書
【補正対象項目名】０００９
【補正方法】変更
【補正の内容】
【０００９】
本件第３の発明は、生活者が所有する識別子と、前記識別子を特定する識別子ＩＤと、前記生活者の生活者端末と、複数の接客者が管理するそれぞれの情報処理装置Ｃと、複数の事業者が管理するそれぞれの情報処理装置Ｂと、識別子管理センターが管理する情報処理装置Ａと、前記情報処理装置Ａに記憶された前記識別子を所有する前記生活者の個人情報を情報処理装置Ｂに登録する手段を有する、複数の情報処理装置Ｃと複数の情報処理装置Ｂと情報処理装置Ａとを有するネットワークシステムであって、
前記ネットワークシステムは、実空間において生活者が所有する前記識別子ＩＤを読み取る前記情報処理装置Ｃの入力手段と、情報処理装置Ｃの入力手段が識別子ＩＤを読み取るステップと、前記情報処理装置Ｃの制御手段が情報処理装置Ｂに前記入力手段で読み取られた識別子ＩＤを送信するステップと、前記情報処理装置Ｂの制御手段が前記情報処理装置Ｃから送信されてきた前記識別子ＩＤを前記情報処理装置Ａに転送するステップと、前記情報処理装置Ａの制御手段が転送されてきた前記識別子ＩＤに関連付けされた個人情報を検索するステップと、前記情報処理装置Ａの制御手段が検索された前記個人情報を先に識別子を送信してきた前記情報処理装置Ｂに送信するステップと、当該情報処理装置Ｂの制御手段が前記情報処理装置Ａから送信されてきた前記個人情報を当該識別子ＩＤに関連付けて記憶するステップとを有し、
前記情報処理装置Ｃの入力手段で識別子ＩＤを読み取らせると、情報処理装置Ａの記憶手段に記憶されている前記識別子ＩＤにかかる前記生活者の個人情報を情報処理装置Ｃの記憶手段に記憶させることなく情報処理装置Ｂの記憶手段に記憶させる手段を備えたことを特徴とする情報処理装置によるネットワークシステムとした。
【手続補正６】
【補正対象書類名】明細書
【補正対象項目名】００１０
【補正方法】変更
【補正の内容】
【００１０】
本件第４の発明は、請求項１乃至請求項３のいずれかに記載の情報処理装置のネットワークシステムにおいて、情報処理装置Ｂの制御手段が生活者のメールサーバへＥメールを発信するＥメール発信手段であって、情報処理装置Ｃの制御手段は、接客者がポイントを条件として入力可能なクエリーと、この条件を満たす識別子ＩＤを検索する手段と、前記検索された識別子ＩＤを情報処理装置Ｂに送信する手段を有し、情報処理装置Ｂの制御手段は、前記送信されてきた前記識別子ＩＤに係るＥメールアドレスをデータベースから検索し、この検索されたＥメールアドレスに前記Ｅメールを発信するＥメール発信手段を備えたことを特徴とする情報処理装置によるネットワークシステムとした。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３２
【補正方法】変更
【補正の内容】
【００３２】
また、本件第３の発明においては、接客者の入力手段が識別子ＩＤを読み取ると、情報処理装置Ｂから情報処理装置Ａに識別子ＩＤを転送し、情報処理装置Ａでは送信されてきた識別子ＩＤに関連付けされた個人情報を検索して情報処理装置Ａの記憶手段に記憶されている前記識別子ＩＤにかかる前記生活者の個人情報を情報処理装置Ｃの記憶手段に記憶させることなく情報処理装置Ｂの記憶手段に記憶させる手段を備えた、このように構成されているので、入力手段に識別子ＩＤを読み取らせる際に生活者が個人情報を登録しなくとも、情報処理装置Ａに生活者の個人情報が記憶されていれば接客者を管理する事業者（情報処理装置Ｂ）は識別子所有者の個人情報を得ることができる。
また、生活者Ａ氏が接客者に名前を知られたくない時や、マーク時に顧客情報を記入することが煩わしい場合であっても、マークをしておけば、Ａ事業者の顧客管理テーブル８８には個人情報が蓄積されるので、生活者Ａ氏は事業者から接客者の情報を受け取ることが出来るという効果が得られる。
本件第４の発明においては、情報処理装置Ｃにポイントを条件として入力すると、この条件を満たす識別子ＩＤが検索され、この識別子ＩＤを情報処理装置Ｂに送信すると、情報処理装置Ｂは識別子ＩＤの個人情報を検索して、この個人情報に基づいてＥメールを発信することが可能となる。このように構成されているので、接客者が生活者の個人情報のデータを管理しなくても、条件を満たす識別子ＩＤを接客者が事業者に送信すると、事業者が生活者に情報を発信することが出来る。言い換えれば、接客者の生活者に対する情報発信の業務を事業者によって代行することが出来るとともに、接客者は生活者の個人情報を管理することなく生活者に対して情報の発信を行うことができるという優れた効果がえられるのである。
【手続補正１２】
【補正対象書類名】明細書
【補正対象項目名】００３４
【補正方法】変更
【補正の内容】
【００３４】
用語の説明
情報処理装置Ａとは、識別子管理センターが管理する情報処理装置である。
情報処理装置Ｂとは、事業者が管理する情報処理装置である。
情報処理装置Ｃとは、接客者が管理する情報処理装置である。
識別子とは、個人の特定に利用可能な、ＩＣカード、携帯電話等の装置、ＩＤカード等の総称である。
識別子ＩＤとは、識別子を特定するための情報である。
マークとは、入力手段に識別子ＩＤが入力されることを言う。
マーク記号とは、マークされた接客者・事業者或いは入力手段等を特定するための情報を含む記号を言う。
マーク記号の履歴情報とは、マークした際にその都度付与された複数のマーク記号の集積を言う。
ＵＲＬ（Uniform Resource Locator）とは、インターネット上におけるＷＥＢページや
ファイルの固有の住所である。
コンテンツファイルとは、接客者に係る紹介情報、コンサート、展覧会等のイベントの紹介情報、及び、音楽ＣＤ、ビデオ、ＤＶＤ等の著作物が記録されたメディアの紹介情報等を記録したファイルである。
【手続補正１３】
【補正対象書類名】明細書
【補正対象項目名】００４３
【補正方法】変更
【補正の内容】
【００４３】
統括セクタＴ１には、識別子管理センター１１０が属し情報処理装置Ａを管理している。
また、事業者セクタＴ３にはミュージアム１３０ｄと、事業者セクタＴ３の事業者１３０が属し情報処理装置Ｂを管理している、接客セクタＴ４には接客者１４０とエンターティナー１５１とが属し情報処理装置Ｃを管理している。
一方、事業者セクタＴ３の事業者１３０は、接客セクタＴ４に位置する自らが所属するグループの接客者１４０・１５１の紹介情報であるコンテンツファイル６８を記憶している。
【手続補正１４】
【補正対象書類名】明細書
【補正対象項目名】００７７
【補正方法】変更
【補正の内容】
【００７７】
動作の説明
なお本実施例においては、接客者と事業者と識別子管理センターの各情報処理装置間の情報のやりとりは相互に認証が行われてアクセスの権利があることが確認されるものとする。従って、本例のネットワークシステム１００においては、生活者Ａ氏が識別子管理センターにログオンすると、識別子管理センターの情報処理装置を介して事業者の情報処理装置や接客者の情報処理装置に更に接続される際に一度の認証で済む所謂シングルサインオンの機能を有しているものとする。
また、本実施例では、識別子管理センターにログオンする際の権利は識別子ＩＤを利用するが、これにとらわれることなく、識別子ＩＤに変えて顧客番号９や、顧客情報（氏名住所等）を入力手段６２に入力することによってログオン出来るようにこのシステムを設計することも可能であることは言うまでもない。
【手続補正１５】
【補正対象書類名】明細書
【補正対象項目名】０１０６
【補正方法】変更
【補正の内容】
【０１０６】
生活者Ａ氏５Ａの生活者端末６に表示された図１３に示すリストボックスＬｂ１の項目の「事業者」をマウスポインタでクリックすると、識別子管理センター１１０の制御手段６１ｈは、センターデータベース５０の識別子所有者テーブル８０の識別子ＩＤ「Ｔ２３８」の行を参照し、マークリスト２５に記憶されたマーク記号１０の事業者記号１６から事業者名をリストアップしてリストボックスＬｂ２を表示させる。
また、リストボックスＬｂ１の「エンターティナー」の項目をクリックすると、マーク記号のカテゴリー記号１７がエンターティナー「＊−７−＊」からコンテンツ管理テーブル８３のコンテンツ名称１４をリストアップして「Ａミュージシャン」と「Ａ陶芸家」とをリストボックスＬｂ３の項目に表示させる。
【手続補正１６】
【補正対象書類名】明細書
【補正対象項目名】０１２０
【補正方法】変更
【補正の内容】
【０１２０】
さて、このカード型識別子の認証において、カード自体が本物であるかを否かは、従来のホログラムを利用したものや、特殊な塗料、非接触型のＩＣなど様々なものが提案されているのでこれらを採用すればよい。
【手続補正１７】
【補正対象書類名】明細書
【補正対象項目名】０１２１
【補正方法】変更
【補正の内容】
【０１２１】
更に、識別子所有者が本人であるかを証明する手段としては、暗証番号などの本人しか知り得ない事実を確認する方法や、指紋、虹彩等のバイオメトリックス（生体認証）等を採用すれば更にセキュリティレベルを上げることが可能となるので好ましい。
【国際調査報告】
2005098699.tif 000021
2005098699.tif 000022